(57)【要約】  アクセスポイントの送信電力が、そのアクセスポイントによって現在サービスされていない１つまたは複数のアクセス端末からそのアクセスポイントによって受信された測定報告に基づいて制御される。いくつかの態様では、送信電力は、特定のイベントに対応する受信したメッセージの数に基づいて制御される。いくつかの態様では、送信電力は、受信したメッセージのコンテンツに基づいて制御される。たとえば、アクセスポイントは、メッセージ中に含まれる信号強度情報を使用して、報告アクセス端末の定義されたサブセットにおける干渉を緩和する送信電力レベルを判断し得る。
2013520933.tif 000002
【特許請求の範囲】
【請求項１】
アクセスポイントにおいてメッセージを受信することと、
前記受信したメッセージに基づいて前記アクセス端末をランク付けすることと、
前記ランク付けに基づいて前記アクセス端末のサブセットを指定することと、
アクセス端末の前記サブセットにおいて特定の信号状態を達成するように前記アクセスポイントの送信電力を制御することと、を備え、
前記メッセージが、前記アクセスポイントによって現在サービスされていない複数のアクセス端末からの測定報告を有し、
前記ランク付けが、前記アクセスポイントによる送信に起因する前記アクセス端末における信号状態に対応する、
通信の方法。
【請求項２】
前記測定報告は、前記アクセス端末が少なくとも１つの他のアクセスポイントから受信した信号に対応する受信信号強度を含み、
前記ランク付けが前記受信信号強度に基づく、
請求項１に記載の方法。
【請求項３】
アクセス端末の前記サブセットの識別は、
最低受信信号強度を報告した前記アクセス端末の定義された部分または定義された数を識別することと、
アクセス端末の前記サブセットから前記識別されたアクセス端末を除外することと、を備える、
請求項２に記載の方法。
【請求項４】
前記送信電力を前記制御することは、アクセス端末の前記サブセットが前記少なくとも１つの他のアクセスポイントから後で受信した信号に対応する後で測定された受信信号強度が、定義されたしきい値以上になるように、前記送信電力を調整することを備える、請求項３に記載の方法。
【請求項５】
前記少なくとも１つの他のアクセスポイントが少なくとも１つのマクロセルを備える、請求項２に記載の方法。
【請求項６】
前記受信信号強度がＣＰＩＣＨ  Ｅｃ／ＩｏまたはＣＰＩＣＨ  ＲＳＣＰを備える、請求項２に記載の方法。
【請求項７】
前記測定報告は、前記アクセス端末が前記アクセスポイントから受信した信号に対応する受信信号強度を含み、
前記ランク付けが前記受信信号強度に基づく、
請求項１に記載の方法。
【請求項８】
アクセス端末の前記サブセットの識別は、
最高受信信号強度を報告した前記アクセス端末の定義された部分または定義された数を識別することと、
アクセス端末の前記サブセットから前記識別されたアクセス端末を除外することと、を備える、
請求項７に記載の方法。
【請求項９】
前記送信電力を前記制御することは、アクセス端末の前記サブセットが前記アクセスポイントから後で受信した信号に対応する後で測定された受信信号強度が、定義されたしきい値以下になるように、前記送信電力を調整することを備える、請求項８に記載の方法。
【請求項１０】
前記アクセスポイントがフェムトセルを備える、請求項７に記載の方法。
【請求項１１】
前記受信信号強度がＣＰＩＣＨ  Ｅｃ／ＩｏまたはＣＰＩＣＨ  ＲＳＣＰを備える、請求項７に記載の方法。
【請求項１２】
前記メッセージが、周期的に受信される測定報告メッセージを備える、請求項１に記載の方法。
【請求項１３】
前記アクセスポイントによって現在サービスされている少なくとも１つのアクセス端末から他のメッセージを受信することをさらに備え、
前記他のメッセージが、前記アクセスポイントの順方向リンク上のチャネル品質を示し、
前記送信電力を前記制御することが前記他のメッセージにさらに基づく、
請求項１に記載の方法。
【請求項１４】
前記アクセスポイントにおいて登録メッセージを受信することをさらに備え、
前記登録メッセージが、前記アクセスポイントを介してアクティブモードサービスを受信することを認可されない少なくとも１つのアクセス端末による登録試みの量を示し、
前記送信電力を前記制御することが前記登録メッセージにさらに基づく、
請求項１に記載の方法。
【請求項１５】
前記アクセスポイントの近くの別のアクセス端末が別のアクセスポイントから情報をアクティブに受信していると判断することと、
前記判断の結果として前記アクセスポイントによる送信を制限することと、
をさらに備える、請求項１に記載の方法。
【請求項１６】
前記アクセスポイントにおいてパイロット信号を受信することと、
前記受信したパイロット信号に基づいて前記アクセスポイントにおけるチャネル状態を識別することと、
前記識別されたチャネル状態に基づいて前記送信電力のための少なくとも１つの限界を設定することと、をさらに備え、
前記パイロット信号が少なくとも１つの他のアクセスポイントから受信される、
請求項１に記載の方法。
【請求項１７】
通信のための装置であって、
前記装置によって現在サービスされていない複数のアクセス端末からの測定報告を有する、メッセージを受信するように動作可能な受信機と、
前記受信したメッセージに基づいて前記アクセス端末をランク付けするように動作可能であり、前記ランク付けが、前記装置による送信に起因する前記アクセス端末における信号状態に対応し、前記ランク付けに基づいて前記アクセス端末のサブセットを指定するようにさらに動作可能であり、アクセス端末の前記サブセットにおいて特定の信号状態を達成するように前記装置の送信電力を制御するようにさらに動作可能であるコントローラと、
を備える装置。
【請求項１８】
前記測定報告は、前記アクセス端末が少なくとも１つのアクセスポイントから受信した信号に対応する受信信号強度を含み、
前記ランク付けが前記受信信号強度に基づく、
請求項１７に記載の装置。
【請求項１９】
アクセス端末の前記サブセットの識別は、
最低受信信号強度を報告した前記アクセス端末の定義された部分または定義された数を識別することと、
アクセス端末の前記サブセットから前記識別されたアクセス端末を除外することと
を備える、請求項１８に記載の装置。
【請求項２０】
前記送信電力を前記制御することは、アクセス端末の前記サブセットが前記少なくとも１つのアクセスポイントから後で受信した信号に対応する後で測定された受信信号強度が、定義されたしきい値以上になるように、前記送信電力を調整することを備える、請求項１９に記載の装置。
【請求項２１】
前記少なくとも１つのアクセスポイントが少なくとも１つのマクロセルを備える、請求項１８に記載の装置。
【請求項２２】
前記受信信号強度がＣＰＩＣＨ  Ｅｃ／ＩｏまたはＣＰＩＣＨ  ＲＳＣＰを備える、請求項１８に記載の装置。
【請求項２３】
前記測定報告は、前記アクセス端末が前記装置から受信した信号に対応する受信信号強度を含み、
前記ランク付けが前記受信信号強度に基づく、
請求項１７に記載の装置。
【請求項２４】
アクセス端末の前記サブセットの識別は、
最高受信信号強度を報告した前記アクセス端末の定義された部分または定義された数を識別することと、
アクセス端末の前記サブセットから前記識別されたアクセス端末を除外することと
を備える、請求項２３に記載の装置。
【請求項２５】
前記送信電力を前記制御することは、アクセス端末の前記サブセットが前記装置から後で受信した信号に対応する後で測定された受信信号強度が、定義されたしきい値以下になるように、前記送信電力を調整することを備える、請求項２４に記載の装置。
【請求項２６】
前記装置がフェムトセルを備える、請求項２３に記載の装置。
【請求項２７】
前記受信信号強度がＣＰＩＣＨ  Ｅｃ／ＩｏまたはＣＰＩＣＨ  ＲＳＣＰを備える、請求項２３に記載の装置。
【請求項２８】
前記メッセージが、周期的に受信される測定報告メッセージを備える、請求項１７に記載の装置。
【請求項２９】
前記受信機は、さらに、前記装置によって現在サービスされている少なくとも１つのアクセス端末から他のメッセージを受信する動作が可能であり、
前記他のメッセージが、前記装置の順方向リンク上のチャネル品質を示し、
前記送信電力を前記制御することが前記他のメッセージにさらに基づく、
請求項１７に記載の装置。
【請求項３０】
前記受信機は、さらに、登録メッセージを受信する動作が可能であり、
前記登録メッセージが、前記装置を介してアクティブモードサービスを受信することを認可されない少なくとも１つのアクセス端末による登録試みの量を示し、
前記送信電力を前記制御することが前記登録メッセージにさらに基づく、
請求項１７に記載の装置。
【請求項３１】
前記コントローラは、さらに、
前記装置の近くの別のアクセス端末がアクセスポイントから情報をアクティブに受信していると判断し、
前記判断の結果として前記装置による送信を制限する、
動作が可能である、請求項１７に記載の装置。
【請求項３２】
前記受信機は、さらに、少なくとも１つのアクセスポイントからパイロット信号を受信する動作が可能であり、
前記コントローラは、さらに、前記受信したパイロット信号に基づいて前記装置におけるチャネル状態を識別する、動作が可能であり、
前記コントローラは、さらに、前記識別されたチャネル状態に基づいて前記送信電力のための少なくとも１つの限界を設定する動作が可能である、
請求項１７に記載の装置。
【請求項３３】
通信のための装置であって、
メッセージを受信するための手段と、
前記受信したメッセージに基づいて前記アクセス端末をランク付けするための手段と、
前記ランク付けに基づいて前記アクセス端末のサブセットを指定するための手段と、
アクセス端末の前記サブセットにおいて特定の信号状態を達成するように前記装置の送信電力を制御するための手段と、を備え、
前記メッセージが、前記装置によって現在サービスされていない複数のアクセス端末からの測定報告を有し、
前記ランク付けが、前記装置による送信に起因する前記アクセス端末における信号状態に対応する、
装置。
【請求項３４】
前記測定報告は、前記アクセス端末が少なくとも１つのアクセスポイントから受信した信号に対応する受信信号強度を含み、
前記ランク付けが前記受信信号強度に基づく、
請求項３３に記載の装置。
【請求項３５】
アクセス端末の前記サブセットの識別は、
最低受信信号強度を報告した前記アクセス端末の定義された部分または定義された数を識別することと、
アクセス端末の前記サブセットから前記識別されたアクセス端末を除外することと
を備える、請求項３４に記載の装置。
【請求項３６】
前記送信電力を前記制御することは、アクセス端末の前記サブセットが前記少なくとも１つのアクセスポイントから後で受信した信号に対応する後で測定された受信信号強度が、定義されたしきい値以上になるように、前記送信電力を調整することを備える、請求項３５に記載の装置。
【請求項３７】
前記測定報告は、前記アクセス端末が前記装置から受信した信号に対応する受信信号強度を含み、
前記ランク付けが前記受信信号強度に基づく、
請求項３３に記載の装置。
【請求項３８】
アクセス端末の前記サブセットの識別は、
最高受信信号強度を報告した前記アクセス端末の定義された部分または定義された数を識別することと、
アクセス端末の前記サブセットから前記識別されたアクセス端末を除外することと
を備える、請求項３７に記載の装置。
【請求項３９】
前記送信電力を前記制御することは、アクセス端末の前記サブセットが前記装置から後で受信した信号に対応する後で測定された受信信号強度が、定義されたしきい値以下になるように、前記送信電力を調整することを備える、請求項３８に記載の装置。
【請求項４０】
前記装置の近くの別のアクセス端末がアクセスポイントから情報をアクティブに受信していると判断するための手段と、
前記判断の結果として前記装置による送信を制限するための手段と
をさらに備える、請求項３３に記載の装置。
【請求項４１】
少なくとも１つのアクセスポイントからパイロット信号を受信するための手段と、
前記受信したパイロット信号に基づいて前記装置におけるチャネル状態を識別するための手段と、
前記識別されたチャネル状態に基づいて前記送信電力のための少なくとも１つの限界を設定するための手段と
をさらに備える、請求項３３に記載の装置。
【請求項４２】
コンピュータに、
アクセスポイントにおいてメッセージを受信することと、
前記受信したメッセージに基づいて前記アクセス端末をランク付けすることと、
前記ランク付けに基づいて前記アクセス端末のサブセットを指定することと、
アクセス端末の前記サブセットにおいて特定の信号状態を達成するように前記アクセスポイントの送信電力を制御することと、を行わせるためのコードを備えるコンピュータ可読媒体を有し、
前記メッセージが、前記アクセスポイントによって現在サービスされていない複数のアクセス端末からの測定報告を有し、
前記ランク付けが、前記アクセスポイントによる送信に起因する前記アクセス端末における信号状態に対応する、
コンピュータプログラム製品。
【請求項４３】
前記測定報告は、前記アクセス端末が少なくとも１つの他のアクセスポイントから受信した信号に対応する受信信号強度を含み、
前記ランク付けが前記受信信号強度に基づく、
請求項４２に記載のコンピュータプログラム製品。
【請求項４４】
アクセス端末の前記サブセットの識別は、
最低受信信号強度を報告した前記アクセス端末の定義された部分または定義された数を識別することと、
アクセス端末の前記サブセットから前記識別されたアクセス端末を除外することと
を備える、請求項４３に記載のコンピュータプログラム製品。
【請求項４５】
前記送信電力を前記制御することは、アクセス端末の前記サブセットが前記少なくとも１つの他のアクセスポイントから後で受信した信号に対応する後で測定された受信信号強度が、定義されたしきい値以上になるように、前記送信電力を調整することを備える、請求項４４に記載のコンピュータプログラム製品。
【請求項４６】
前記測定報告は、前記アクセス端末が前記アクセスポイントから受信した信号に対応する受信信号強度を含み、
前記ランク付けが前記受信信号強度に基づく、
請求項４２に記載のコンピュータプログラム製品。
【請求項４７】
アクセス端末の前記サブセットの識別は、
最高受信信号強度を報告した前記アクセス端末の定義された部分または定義された数を識別することと、
アクセス端末の前記サブセットから前記識別されたアクセス端末を除外することと
を備える、請求項４６に記載のコンピュータプログラム製品。
【請求項４８】
前記送信電力を前記制御することは、アクセス端末の前記サブセットが前記アクセスポイントから後で受信した信号に対応する後で測定された受信信号強度が、定義されたしきい値以下になるように、前記送信電力を調整することを備える、請求項４７に記載のコンピュータプログラム製品。
【請求項４９】
前記コンピュータ可読媒体が、
前記アクセスポイントの近くの別のアクセス端末が別のアクセスポイントから情報をアクティブに受信していると判断することと、
前記判断の結果として前記アクセスポイントによる送信を制限することと
を前記コンピュータに行わせるためのコードをさらに備える、請求項４２に記載のコンピュータプログラム製品。
【請求項５０】
前記コンピュータ可読媒体が、
前記アクセスポイントにおいてパイロット信号を受信することと、
前記受信したパイロット信号に基づいて前記アクセスポイントにおけるチャネル状態を識別することと、
前記識別されたチャネル状態に基づいて前記送信電力のための少なくとも１つの限界を設定することと、を前記コンピュータに行わせるためのコードをさらに備え、
前記パイロット信号が少なくとも１つの他のアクセスポイントから受信される、
請求項４２に記載のコンピュータプログラム製品。
【発明の詳細な説明】
【技術分野】
【０００１】
優先権の主張
本出願は、その開示が参照により本明細書に組み込まれる、２０１０年２月２２日に出願され、弁理士整理番号第１０１０６７Ｐ１号を付与された、同一出願人が所有する米国特許仮出願第６１／３０６，８８５号の利益および優先権を主張する。
【背景技術】
【０００２】
本出願は、一般にワイヤレス通信に関し、より詳細には、限定はしないが、アクセスポイント送信電力を制御することに関する。
【０００３】
序論
ワイヤレス通信ネットワークは、地理的エリア内のユーザに様々なタイプのサービス（たとえば、ボイス、データ、マルチメディアサービスなど）を提供するために、その地理的エリアにわたって展開され得る。典型的な実装形態では、マクロネットワークによってサービスされる地理的エリア内で動作しているアクセス端末（たとえば、セルフォン）にワイヤレス接続性を与えるために、（たとえば、各々が１つまたは複数のセルを介してサービスを提供する）マクロアクセスポイントがマクロネットワーク全体にわたって分散される。
【０００４】
高速なマルチメディアデータサービスの需要が急速に増大するにつれて、向上したパフォーマンスをもつ効率的でロバストな通信システムを実装することが課題となっている。従来のネットワークアクセスポイントを補うために（たとえば、拡張されたネットワークカバレージを与えるために）、小カバレージアクセスポイント（たとえば、低電力アクセスポイント）を展開して、よりロバストな屋内ワイヤレスカバレージまたは他のカバレージを家庭、企業ロケーション（たとえば、オフィス）、または他のロケーション内のアクセス端末に与え得る。そのような小カバレージアクセスポイントは、たとえば、フェムトセル、フェムトアクセスポイント、ホームノードＢ、ホームｅノードＢ、またはアクセスポイント基地局と呼ばれることがある。一般に、そのような小カバレージアクセスポイントは、ＤＳＬルータまたはケーブルモデムを介してインターネットおよびモバイル事業者のネットワークに接続される。便宜上、以下の説明では、小カバレージアクセスポイントをフェムトセルまたはフェムトアクセスポイントと呼ぶことがある。
【０００５】
ホームノードＢなどのフェムトセルの同一チャネルまたは共有キャリア展開では、パイロット、オーバーヘッド、データ、および他のチャネルのためのホームノードＢの送信電力を制限することによって、ホームノードＢからの干渉から（非許可アクセス端末またはマクロアクセス端末としても示される）非限定加入者グループ（non-Closed Subscriber Group）アクセス端末を保護する必要がある。この送信電力制御はホームノードＢ電力較正と呼ばれることがある。送信電力較正アルゴリズムの１つの目的は、サーブド（served）アクセス端末（たとえば、ホームアクセス端末）に与えられるホームノードＢカバレージと、非サーブド（non-served）アクセス端末（たとえば、マクロアクセス端末または他のフェムトアクセス端末）に対する干渉影響を制限することとの間のバランスをとることである。
【０００６】
いくつかの従来の送信電力較正方式は、ホームノードＢにおいてダウンリンク受信機（たとえば、ネットワークリッスンモジュール）によって行われる測定に基づく。この較正は、近くのホームアクセス端末および近くのマクロアクセス端末がネットワークリッスンモジュールと同じまたは同様のＲＦ状態を経験するという仮定に基づく。しかしながら、この仮定は十分に正確ではない。したがって、ネットワークリッスンモジュールベース送信電力較正には２つの不整合状態がある。
【０００７】
第１に、ＲＦ不整合状態があり得る。たとえば、窓の近くに配置されたホームノードＢは、窓から圧倒的に離れていることがあるホームアクセス端末よりも著しく高いマクロ干渉を経験し得る。別の例として、地階に配置されたホームノードＢは、圧倒的により高い階にあるホームアクセス端末よりも著しく低いマクロ干渉を経験し得る。
【０００８】
第２に、展開不整合状態があり得る。たとえば、ネットワークリッスンモジュールは、ホームノードＢ展開を囲むマクロアクセス端末トラフィックに気づいていない。繁華街頭近くで小さいアパート中に展開されたホームノードＢは、郊外の家の深奥に展開されたホームノードＢよりも、多くのマクロアクセス端末に影響を及ぼし得る。この不整合は、電力設定がマクロユーザに対してあまりに多くの干渉を引き起こし得るという意味で、ホームノードＢに対して不正確な電力設定を引き起こす。この干渉は、（たとえば、ホームノードＢが窓の近くまたは繁華街頭近くに配置されたとき）過剰な周波数間ハンドオーバまたは呼ドロップにつながり得るか、または（たとえば、ホームノードＢが地階に配置されたとき、またはホームノードＢがランチハウス（ranch house）中で使用されるとき）ホームアクセス端末のための不十分なカバレージを生じ得る。
【０００９】
上記に鑑みて、フェムトセルからの干渉からマクロセルユーザおよび他の非許可ユーザを保護し、依然として、許可フェムトセルユーザに十分なカバレージを与えるための効果的な技法が必要である。
【発明の概要】
【００１０】
本開示のいくつかの例示的な態様の概要について以下で説明する。本概要は、読者の便宜のために与えられるものであり、本開示の幅を完全に定義するものではない。便宜上、本明細書では、本開示の単一の態様または複数の態様を指すために、いくつかの態様という用語を使用することがある。
【００１１】
本開示は、いくつかの態様では、アクセスポイントの送信電力を制御することに関する。特に、アクセスポイントの送信電力は、そのアクセスポイントによって現在サービスされていない１つまたは複数のアクセス端末（たとえば、別のアクセスポイントとのアクティブな呼中のまたはアイドルモードにあるアクセス端末）からそのアクセスポイントによって受信された測定報告に基づいて制御され得る。そのような方式は、たとえば、マクロアクセスポイントおよび／または他のフェムトセルと共有されるキャリア上で動作しているフェムトセルのために送信電力較正を行うために使用され得る。受信した測定報告に基づいてフェムトセル展開の境界を効果的に学習することによって、フェムトセルは、フェムトセルからの干渉によって影響を受ける非サーブドアクセス端末（たとえば、マクロアクセス端末）の数を制限するようにそれの送信電力を構成し得る。有利には、そのような測定報告ベース方式は、ネットワークリッスンモジュールベース較正方式においてさもなければ存在し得るＲＦ不整合状態および／または展開不整合状態を緩和（たとえば、解消）し得る。
【００１２】
本開示は、いくつかの態様では、アクセスポイントによって受信された特定のイベントに対応する測定報告メッセージの数に基づいて送信電力を制御することに関する。いくつかの態様では、イベントベース送信電力制御方式は、アクセスポイントにおいてメッセージを受信することであって、メッセージが、そのアクセスポイントによって現在サービスされていない少なくとも１つのアクセス端末からの測定報告を備える、受信することと、特定のタイプのイベントの発生を示すメッセージの量を識別することと、その量をしきい値と比較することと、比較に基づいてアクセスポイントの送信電力を制御することとに関与し得る。
【００１３】
本開示は、いくつかの態様では、受信した測定報告メッセージのコンテンツに基づいて送信電力を制御することに関する。たとえば、アクセスポイントは、メッセージ中に含まれる信号強度情報を使用して、報告アクセス端末をランク付けし、報告アクセス端末の定義されたサブセットにおける干渉を緩和する送信電力レベルを判断し得る。いくつかの態様では、ランク付けベース送信電力制御方式は、アクセスポイントにおいてメッセージを受信することであって、メッセージが、そのアクセスポイントによって現在サービスされていない複数のアクセス端末からの測定報告を備える、受信することと、受信したメッセージに基づいてアクセス端末をランク付けすることであって、ランク付けが、アクセスポイントによる送信に起因するアクセス端末における信号状態に対応する、ランク付けすることと、ランク付けに基づいてアクセス端末のサブセットを指定することと、アクセス端末のサブセットにおいて特定の信号状態を達成するようにアクセスポイントの送信電力を制御することとに関与し得る。
【００１４】
本開示は、いくつかの態様では、受信した測定報告に基づいて送信電力を制御するアクセスポイントに測定報告を送るネットワークエンティティに関する。いくつかの態様では、測定報告処理方式は、ネットワークエンティティにおいて測定報告を受信することであって、測定報告の各々が特定の（すなわち、同じ）アクセスポイントに対応する、受信することと、特定のアクセスポイントが測定報告に基づいて送信電力を制御すると判断することと、判断の結果として測定報告を特定のアクセスポイントに送ることとに関与し得る。
【００１５】
本開示のこれらおよび他の例示的な態様について、以下の発明を実施するための形態および添付の特許請求の範囲、ならびに添付の図面において説明する。
【図面の簡単な説明】
【００１６】
【図１】アクセスポイントがアクセス端末測定報告に基づいてそれの送信電力を制御する、通信システムのいくつかの例示的な態様の簡略ブロック図。
【図２】アクセス端末測定報告に基づいてアクセスポイントの送信電力を制御することに関連して実行され得る動作のいくつかの例示的な態様のフローチャート。
【図３】イベントトリガ型測定報告に基づいてアクセスポイントの送信電力を制御することに関連して実行され得る動作のいくつかの例示的な態様のフローチャート。
【図４】アクセス端末測定報告のランク付けに基づいてアクセスポイントの送信電力を制御することに関連して実行され得る動作のいくつかの例示的な態様のフローチャート。
【図５】ネットワークエンティティにおいて測定報告の処理に関連して実行され得る動作のいくつかの例示的な態様のフローチャート。
【図６】アクセスポイントが送信電力を制御するために多段電力制御方式を使用する、通信システムのいくつかの例示的な態様の簡略ブロック図。
【図７】多段送信電力制御方式に関連して実行され得る動作のいくつかの例示的な態様のフローチャート。
【図８】通信ノードにおいて採用され得る構成要素のいくつかの例示的な態様の簡略ブロック図。
【図９】ワイヤレス通信システムの簡略図。
【図１０】フェムトノードを含むワイヤレス通信システムの簡略図。
【図１１】ワイヤレス通信のためのカバレージエリアを示す簡略図。
【図１２】通信構成要素のいくつかの例示的な態様の簡略ブロック図。
【図１３】本明細書で教示する、送信電力を制御するように構成された装置のいくつかの例示的な態様の簡略ブロック図。
【図１４】本明細書で教示する、送信電力を制御するように構成された装置のいくつかの例示的な態様の簡略ブロック図。
【図１５】本明細書で教示する、送信電力を制御するように構成された装置のいくつかの例示的な態様の簡略ブロック図。
【発明を実施するための形態】
【００１７】
慣例により、図面に示す様々な特徴は一定の縮尺で描かれていないことがある。したがって、様々な特徴の寸法は、わかりやすいように任意に拡大または縮小されることがある。さらに、図面のいくつかは、わかりやすいように簡略化されることがある。したがって、図面は、所与の装置（たとえば、デバイス）または方法の構成要素のすべてを示しているわけではないことがある。最後に、明細書および図の全体にわたって同様の特徴を示すために同様の参照番号が使用されることがある。
【００１８】
本開示の様々な態様について以下で説明する。本明細書の教示は多種多様な形態で実施され得、本明細書で開示されている特定の構造、機能、またはその両方は代表的なものにすぎないことは明らかであろう。本明細書の教示に基づいて、本明細書で開示する態様は他の態様とは無関係に実装され得ること、およびこれらの態様のうちの２つ以上は様々な方法で組み合わせられ得ることを、当業者なら諒解されたい。たとえば、本明細書に記載の態様をいくつ使用しても、装置を実装し、または方法を実施し得る。さらに、本明細書に記載の態様のうちの１つまたは複数に加えて、あるいはそれら以外の他の構造、機能、または構造および機能を使用して、そのような装置を実装し、またはそのような方法を実施し得る。さらに、態様は、請求項の少なくとも１つの要素を備え得る。
【００１９】
図１に、例示的な通信システム１００（たとえば、通信ネットワークの一部）のいくつかのノードを示す。説明のために、本開示の様々な態様について、互いに通信する１つまたは複数のアクセス端末、アクセスポイント、およびネットワークエンティティの文脈で説明する。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢ、ホームノードＢ、ホームｅノードＢ、マクロセル、フェムトセルなどと呼ばれることがあり、または基地局、ノードＢ、ｅノードＢ、ホームノードＢ、ホームｅノードＢ、マクロセル、フェムトセルなどとして実装されることがあり、アクセス端末は、ユーザ機器（ＵＥ）、モバイルなどと呼ばれることがあり、またはユーザ機器（ＵＥ）、モバイルなどとして実装されることがある。
【００２０】
システム１００中のアクセスポイントは、システム１００のカバレージエリア内に設置され得るか、またはシステム１００のカバレージエリア全体にわたってローミングし得る、１つまたは複数のワイヤレス端末（たとえば、アクセス端末１０２および１０４）に１つまたは複数のサービスへのアクセス（たとえば、ネットワーク接続性）を与える。たとえば、様々な時点で、アクセス端末１０２は、アクセスポイント１０６、アクセスポイント１０８、またはシステム１００中の何らかのアクセスポイント（図示せず）に接続し得る。同様に、様々な時点で、アクセス端末１０４は、アクセスポイント１０８、またはシステム１００中の何らかのアクセスポイントに接続し得る。
【００２１】
いくつかのタイプのアクセスポイント（たとえば、フェムトセル）は、異なるタイプのアクセスモードをサポートするように構成され得る。たとえば、オープンアクセスモードでは、アクセスポイントは、いずれのアクセス端末もアクセスポイントを介して任意のタイプのサービスを取得することを許可し得る。制限付き（または限定）アクセスモードでは、アクセスポイントは、認可されたアクセス端末のみがアクセスポイントを介してサービスを取得することを許可し得る。たとえば、アクセスポイントは、ある加入者グループ（たとえば、限定加入者グループ（ＣＳＧ：closed subscriber group））に属するアクセス端末（たとえば、いわゆるホームアクセス端末）のみがアクセスポイントを介してサービスを取得することを許可し得る。シグナリング専用（またはハイブリッド）アクセスモードでは、外来アクセス端末（たとえば、非ホームアクセス端末、非ＣＳＧアクセス端末）は、アクセスポイントを介してシグナリングアクセスを取得することのみを許可され得る。たとえば、フェムトセルのＣＳＧに属さないマクロアクセス端末は、フェムトセルにおいていくつかのページング、登録および他のシグナリング動作を実行することは許可され得るが、フェムトセルを介してアクティブモードサービスを取得することは許可され得ない。
【００２２】
アクセスポイントの各々は、ワイドエリアネットワーク接続性を可能にするために、（便宜上、ネットワークエンティティ１１０によって表される）１つまたは複数のネットワークエンティティと通信し得る。これらのネットワークエンティティは、たとえば、１つまたは複数の無線および／またはコアネットワークエンティティなどの様々な形態をとり得る。したがって、様々な実装形態では、ネットワークエンティティは、（たとえば、運用、アドミニストレーション、管理、およびプロビジョニングエンティティによる）ネットワーク管理、呼制御、セッション管理、モビリティ管理、ゲートウェイ機能、インターワーキング機能のうちの少なくとも１つなどの機能、または何らかの他の好適なネットワーク機能を表し得る。また、これらのネットワークエンティティの２つ以上が共同設置され得、および／または、これらのネットワークエンティティの２つ以上がネットワーク全体にわたって分散され得る。
【００２３】
アクセスポイント１０６（たとえば、フェムトセル）は、指定されたキャリア周波数上で動作するサービスチャネルを使用することによって近くのアクセス端末にサービスを提供する。場合によっては（たとえば、同一チャネル展開）、このキャリア周波数は異なるタイプのアクセスポイント（たとえば、フェムトセルおよびマクロセル）によって使用され得る。他の場合には、異なるタイプのアクセスポイントは異なるキャリア周波数上で動作し得る。たとえば、フェムトセルは、専用フェムトキャリア周波数上にそれらのサービスチャネルを展開し得、マクロセルは、１つまたは複数のマクロキャリア周波数上にそれらのサービスチャネルを展開し得る。後者の場合、フェムトセルは、各マクロキャリア周波数上で動作している近くのアクセス端末がフェムトセルを発見することを可能にするために、そのキャリア周波数上でビーコンを送信し得る。したがって、同一チャネル展開シナリオまたは非同一チャネル展開シナリオのいずれにおいても、所与のキャリア周波数上でのフェムトセルによる送信は、別のアクセスポイント（たとえば、マクロセルまたは別のフェムトセル）とアクティブに通信している近くのアクセスポイントにおける信号受信に干渉し得る。
【００２４】
アクセスポイントによる潜在的な干渉送信は様々な形態をとり得る。たとえば、同一チャネル展開では、（たとえば、サービスチャネルのための）フェムトセルの順方向リンク送信は、同じキャリア周波数上で動作している近くのマクロアクセス端末において干渉を生じ得る。別の例として、フェムトセルがマクロキャリア周波数上でビーコンを送信する展開では、これらのビーコン送信は、そのマクロキャリア周波数上で動作している近くのマクロアクセス端末において干渉を生じ得る。いくつかの実装形態では、アクセスポイントは異なる電力レベルでビーコンを送信する。ここで、アクセスポイントは、通常、ビーコンによって生じる干渉を最小限に抑えるために低電力レベルでビーコンを送信する。しかしながら、アクセスポイントは、より大きく離れたアクセス端末を引きつけることを可能にするために、短い時間期間の間、より高い電力レベル（または複数のより高いレベル）でビーコンを定期的に送信することになる。
【００２５】
アクセスポイント１０６は、アクセスポイント１０６による送信が、アクセスポイント１０６によって現在サービスされていない（たとえば、アクセスポイント１０６からアクティブモードサービスを受信することを認可されない）近くのアクセス端末（たとえば、アクセス端末ｌ０４）に与え得る干渉を緩和しながら、アクセスポイント１０６からアクティブモードサービスを受信することを認可されたアクセス端末（たとえば、アクセス端末ｌ０２）を引きつけるためおよび／またはそれらと通信するための通信カバレージの所望のエリアを与えるために送信電力制御を採用する。たとえば、アクセス端末１０２はアクセスポイント１０６のＣＳＧのメンバーであり得、アクセス端末１０４はそのＣＳＧのメンバーでない。この場合、アクセス端末１０２が、特定の距離から（たとえば、アクセスポイント１０６が展開された建築物全体にわたって）アクセスポイント１０６の存在を検出し、および／またはアクセスポイント１０６と通信することが可能であるように、アクセスポイント１０６は（たとえば、ビーコンおよび／または順方向リンク送信のために）十分な送信電力を使用することが望ましい。逆に、アクセスポイント１０６による送信は、アクセスポイント１０８（たとえば、アクセス端末１０４のためのサービングマクロセル）から信号を受信するアクセス端末１０４の能力に過度に干渉しないことが好ましい。
【００２６】
本明細書の教示によれば、アクセスポイント１０６は、アクセスポイント１０６によって現在サービスされていない１つまたは複数のアクセス端末からの測定報告に基づく送信電力制御方式を採用する。そのような方式の使用によって、アクセスポイントが展開された建築物のサイズや、アクセスポイントの近傍にある影響を受けた非サーブドアクセス端末（たとえば、マクロアクセス端末などの非許可アクセス端末）の数などの展開固有シナリオを考慮に入れる方法でアクセスポイント送信電力の較正が達成され得る。したがって、アクセスポイント（たとえば、限定フェムトセル）のカバレージと非サーブドアクセス端末への干渉との間でより良いトレードオフが達成され得る。次に、そのような送信電力制御方式に関連して実行され得るメッセージング動作の一例について、図２に関して説明する。
【００２７】
便宜上、図２の動作（または、本明細書で説明または教示する他の動作）については、特定の構成要素（たとえば、図１および図８の構成要素）によって実行されるものとして説明することがある。ただし、これらの動作は、他のタイプの構成要素によって実行され、異なる数の構成要素を使用して実行され得ることを諒解されたい。また、本明細書で説明する動作の１つまたは複数は、所与の実装形態では採用されないことがあることを諒解されたい。
【００２８】
図２のブロック２０２によって表されるように、様々な時点で、アクセス端末１０４は、近くのアクセスポイントからＲＦ信号（たとえば、順方向リンク信号、パイロット信号）を受信し、これらのＲＦ信号の受信信号品質を測定する。これらのＲＦ信号の受信元であるアクセスポイントは、アクセス端末１０４を現在サービスしているアクセスポイント（たとえば、アクセスポイント１０８）を含むことになり、アクセス端末１０４を現在サービスしていない他のアクセスポイント（たとえば、アクセスポイント１０６）を含み得る。
【００２９】
ブロック２０４によって表されるように、アクセス端末１０４は、ＲＦ信号測定値に基づいて測定報告メッセージを生成し、これらのメッセージをそれのサービングアクセスポイント１０８に送る。たとえば、アクセス端末は、周期的またはイベントトリガ型測定報告メッセージ（ＭＲＭ：measurement report message）をそれのサービングアクセスポイント（たとえば、サービング基地局）にまたは何らかの他のネットワークエンティティ（たとえば、無線ネットワークコントローラ）に与えるように構成または要求され得る。
【００３０】
いくつかの態様では、これらの測定報告は、アクセス端末から見た無線状態と周囲アクセスポイントとを伝達する。すなわち、測定報告は、各観測されたアクセスポイントの識別情報の指示を与え、アクセス端末１０４において測定されたＲＦ信号の受信信号品質の指示を与える。たとえば、測定報告は、サービングマクロセルの、近くのフェムトセルの、および他の近くのセルのパイロット信号強度（たとえば、ＣＰＩＣＨ  ＲＳＣＰ）などの受信信号品質パラメータを含み得る。別の例として、測定報告は、キャリア上の総広帯域受信電力（たとえば、Ｉｏまたは受信信号強度指示（ＲＳＳＩ））を示し得る。さらに別の例として、測定報告は、サービングマクロセルの、近くのフェムトセルの、および他の近くのセルのＣＰＩＣＨ  Ｅｃ／Ｉｏなどの導出されたパラメータを含み得る。
【００３１】
これらのパラメータおよびアクセスポイントの送信電力の値などの追加情報から、アクセス端末からアクセスポイントへの経路損失などの量の推定値が取得され得る。典型的に、これらの測定報告は、アクセス端末モビリティのためにネットワークによって使用されてきた（すなわち、アクセス端末のためのハンドオーバ決定を行うために使用されてきた）。
【００３２】
ブロック２０６によって表されるように、もっぱらモビリティ動作のためにこの情報を使用する代わりに、アクセスポイント１０８は、非サービングアクセスポイント１０６のための測定情報を含む報告メッセージをアクセスポイント１０６に送る。たとえば、これらの報告メッセージは、ブロック２０４において受信された測定報告を備え得るか、またはこれらの報告メッセージは、単に、測定報告からの測定報告情報の一部を含み得る。アクセスポイント１０８は、ネットワークエンティティ１１０を介して、または場合によっては直接、報告メッセージをアクセスポイント１０６に送り得る。
【００３３】
（たとえば、一連のネットワークエンティティを表す）ネットワークエンティティ１１０を介してメッセージ報告が送られる場合の例として、アクセスポイントは、ネットワークバックホールを介して報告メッセージを送り得、それにより、ネットワークエンティティ１１０は、対応する報告メッセージをアクセスポイント１０６に送る。場合によっては、アクセスポイント１０８および／またはネットワークエンティティ１１０は、単に、受信した測定報告をアクセスポイント１０６に転送し得る。他の場合には、図５に関して以下でより詳細に説明するように、アクセスポイント１０８および／またはネットワークエンティティ１１０は、報告メッセージをアクセスポイント１０６に送ることに関連して、受信した測定報告情報を処理し得る。たとえば、アクセスポイント１０８および／またはネットワークエンティティ１１０は、受信したメッセージをアグリゲートし、メッセージのグループを周期的にアクセスポイント１０６に送り得る。
【００３４】
メッセージ報告がアクセスポイント１０６に直接送られる場合の一例として、一部の通信ネットワークは、アクセスポイント間の非バックホールシグナリング接続をサポートする。たとえば、アクセスポイント１０６とアクセスポイント１０８とが両方ともフェムトセルである場合、アクセスポイント１０６とアクセスポイント１０８とは、（たとえば、フェムト（たとえば、ホームノードＢ）管理サーバを介して）互いに直接通信することが可能であり得る。
【００３５】
ブロック２０８によって表されるように、非サービングアクセスポイント１０６は、アクセス端末１０４において発信された測定情報を含むメッセージを受信する。図５に関して以下でより詳細に説明するように、これらのメッセージは、（たとえば、各測定報告が生成されたときに）個別に受信され得るか、またはアグリゲートベースで受信され得る（たとえば、メッセージのグループがネットワークエンティティによって周期的に収集され、送られ得る）。
【００３６】
ブロック２１０によって表されるように、アクセスポイント１０６は、受信した報告メッセージに基づいて（たとえば、送信電力制御構成要素１１２の動作によって）アクセスポイント１０６の送信電力を制御する。たとえば、図３に関して以下でより詳細に説明するように、いくつかの実装形態では、送信電力制御構成要素１１２はイベントベース送信電力制御アルゴリズムを採用し、それにより、送信電力は、特定のイベントに関連する受信した報告メッセージ（たとえば、アクセス端末１０４において特定のイベントの発生によってトリガされたメッセージ）の数に基づいて調整される。別の例として、図４に関して以下でより詳細に説明するように、いくつかの実装形態では、送信電力制御構成要素１１２はランク付けベース送信電力制御アルゴリズムを採用し、それにより、送信電力は、異なる報告アクセス端末における信号状態のランク付けに基づいて調整される。
【００３７】
図３を参照すると、このフローチャートには、送信電力を制御するためにアクセスポイントにおいて採用され得るイベント数ベースアルゴリズムの例が記載されている。ここで、イベントは、アクセスポイントの近傍にある非サーブドアクセス端末における測定報告生成に関係する。
【００３８】
一般に、アクセス端末における測定報告メッセージ生成はイベントトリガ型である。たとえば、アクセス端末は、観測されたアクセスポイントの信号強度がしきい値を超えたときに測定報告を生成し得る。このしきい値は、たとえば、絶対値または観測された最良信号強度に関係する値の形態をとり得る。そのようなイベントの一例は、ＵＭＴＳにおいて定義されているイベント１Ａである。
【００３９】
非サーブドアクセス端末による特定のタイプのイベントに対応する多数の測定報告は、アクセスポイントが展開された建築物（たとえば、フェムトセルユーザのホーム）の外でのアクセスポイント送信電力の漏れを示し得る。したがって、非サーブドアクセス端末において発生した測定報告トリガリングイベントの数がある構成可能なしきい値を上回る場合、これらのアクセス端末における干渉を緩和するために、アクセスポイントの送信電力、したがってアクセスポイントのカバレージ範囲が低減される。逆に、イベントの数が同じまたは何らかの他のしきい値よりも少ない場合、許可アクセス端末（たとえば、ホームアクセス端末）のためのカバレージを改善するために送信電力が増加される。
【００４０】
したがって、図３のブロック３０２によって表されるように、様々な時点で、アクセスポイントは、そのアクセスポイントによって現在サービスされていない１つまたは複数のアクセス端末から測定報告ベースメッセージを受信することになる。たとえば、フェムトセルは、近くのマクロアクセス端末によって生成されたか、または別のフェムトセルによってサービスされている近くのアクセス端末によって生成された測定報告を受信し得る。上記で説明したように、報告アクセス端末は、それのサービングアクセスポイントに測定報告を送り得、その後、測定報告（または他の好適なメッセージ）は（たとえば、バックホールを介してまたは何らかの他の方法で）フェムトセルに送られる。
【００４１】
ブロック３０４によって表されるように、アクセスポイントは、特定のタイプのイベントの発生を示す受信したメッセージの量を識別する。ここで、その量は、定義された時間期間（たとえば、日、週など）にわたって計算され得る。
【００４２】
たとえば、ＵＭＴＳベースシステムでは、フェムトセルは、（１つまたは複数の）報告アクセス端末におけるイベント１Ａの発生によってトリガされた受信した測定報告の数を計数し得る。たとえば、マクロアクセス端末におけるイベント１Ａは、フェムトセルからの受信信号出力がマクロアクセス端末のサービングマクロセルからの受信信号出力の定義されたしきい値（たとえば、定義されたｄＢ量）内にあることに対応し得る。そのようなイベントに関連して、マクロアクセス端末は、ハンドオーバ関係の動作のためにフェムトセルをマクロアクセス端末のアクティブセットに追加することを試み得る。
【００４３】
ブロック３０６によって表されるように、アクセスポイントは、ブロック３０４において判断された量をしきい値と比較する。２つ以上のしきい値が場合によっては採用され得ることを諒解されたい。たとえば、あるしきい値は、送信電力が減少されるべきかどうかを判断するために使用され得、別の（たとえば、より低い）しきい値は、送信電力が増加されるべきかどうかを判断するために使用され得る。
【００４４】
ブロック３０８によって表されるように、アクセスポイントは、ブロック３０６の比較に基づいてそれの送信電力を制御する。たとえば、量がしきい値よりも多い（または、しきい値以上である）場合は送信電力が減少され得、量がしきい値よりも少ない（または、しきい値以下である）場合は送信電力が増加され得る。
【００４５】
特定の例として、定義された更新間隔で、アクセスポイントは、式Ｐｎｅｗ＝Ｐｃｕｒｒｅｎｔ＋ΔＰに基づいてそれの送信電力レベルを更新し得る。いくつかの実装形態では、電力調整ΔＰは、測定報告イベントの量としきい値との比較に基づいて計算される。
【００４６】
特定の例として、あるタイプ（たとえば、イベント１Ａ）のイベントに対応する測定報告が更新期間中に計数される。これらのイベントの数をＯｂｓｅｒｖｅｄ＿Ｅｖｅｎｔ＿Ｃｏｕｎｔによって示す。次いで、この量は、更新期間中のそのようなイベントの所望の数を制御する構成可能なしきい値Ｔａｒｇｅｔ＿Ｅｖｅｎｔ＿Ｃｏｕｎｔと比較される。次いで、ΔＰが、式ΔＰ＝ｇ（Ｔａｒｇｅｔ＿Ｅｖｅｎｔ＿Ｃｏｕｎｔ−Ｏｂｓｅｒｖｅｄ＿Ｅｖｅｎｔ＿Ｃｏｕｎｔ）に従って計算される。ここで、ｇ（ｘ）は、ｘ＝０の場合、値０をとる単調非減少関数を備え得る（すなわち、ターゲットが満たされる場合、送信電力は不変である）。
【００４７】
上記の例では、送信電力調整の方向（たとえば、増加または減少）ならびに送信電力調整の大きさは、観測数とターゲット数との間の差に基づく。したがって、イベントの数がターゲットとは著しく異なる場合、比較的大きい送信電力調整が行われ得る。逆に、イベントの数がターゲットに比較的近接している場合、比較的小さい送信電力調整が行われ得る。いずれの場合も、新たに計算された送信電力（Ｐｎｅｗ）は、（たとえば、アクセスポイントのために規定された、および／または別の送信電力制御アルゴリズムによる）最小および最大送信電力限界によって抑制され得る。
【００４８】
次に図４を参照すると、このフローチャートには、送信電力を制御するためにアクセスポイントにおいて採用され得る測定報告コンテンツベースアルゴリズムの例が記載されている。ここで、送信電力設定の計算のために有用である測定報告のサブセットを取得するために、受信した測定報告のコンテンツが検査される。したがって、この場合、送信電力は、測定報告の数のみに基づくのではなく、測定報告のコンテンツにも基づいて判断される。
【００４９】
そのようなアルゴリズムは、たとえば、測定報告がイベントトリガ型報告と周期的報告の両方からなる実装形態において特に有利であることが判明し得る。たとえば、（たとえば、イベント１Ａまたは何らかの他のイベントに基づく）イベントトリガ型報告は、マクロアクセス端末がフェムトセルカバレージとマクロセルカバレージとの境界にあるときに発生し得る。一方、周期的報告の下での測定報告は、フェムトセルカバレージ内のどこででも生成され得る。したがって、周期的報告は、フェムトセルの近傍における干渉状態に関するより詳細な情報を与え得る。
【００５０】
図４のブロック４０２によって表されるように、様々な時点で、アクセスポイントは、そのアクセスポイントによって現在サービスされていない異なるアクセス端末から測定報告ベースメッセージを受信する。たとえば、フェムトセルは、フェムトセルを通っている異なるマクロアクセス端末から発信した測定報告を受信し得る。さらに、フェムトセルは、フェムトセルの近傍において他のフェムトセルによってサービスされる異なるアクセス端末から発信した測定報告を受信し得る。
【００５１】
受信したメッセージは、発信アクセス端末に従ってグループ化される。たとえば、第１のマクロアクセス端末から発信したメッセージはあるグループに入れられ、第２のマクロアクセス端末から発信したメッセージは別のグループに入れられ、別のフェムトセルによってサービスされているアクセス端末から発信したメッセージはさらに別のグループに入れられるなどである。
【００５２】
これらのメッセージのグループ化は、システム中の様々なエンティティにおいて実行され得る。場合によっては、メッセージの宛先アクセスポイント（たとえば、フェムトセル）がグループ化を実行する。場合によっては、ネットワークエンティティがグループ化を実行する。たとえば、無線ネットワークコントローラなどのネットワークエンティティは、発信アクセス端末に従って、そのネットワークエンティティが受信したすべてのメッセージをアグリゲートし得る。次いで、ネットワークエンティティは、グループ化されたメッセージを宛先アクセスポイントに送り得る。場合によっては、発信アクセス端末から測定報告を受信したサービングアクセスポイント（たとえば、マクロセルまたは他のフェムトセル）が、発信アクセス端末に従ってこれらの測定報告をグループ化し得る。
【００５３】
ブロック４０４によって表されるように、受信したメッセージに基づいてアクセス端末をランク付する。たとえば、メッセージの各グループ中に含まれる信号状態を示す情報（たとえば、Ｅｃ／Ｉｏ、ＣＰＩＣＨ  ＲＳＣＰ）に基づいて、アクセス端末は、そのアクセス端末がアクセスポイントからの干渉によってどのように影響を受けるかに従ってランク付けされ得る。
【００５４】
特定の例として、測定報告のグループごとに、対応するアクセス端末（たとえば、マクロアクセス端末）に対するフェムトセルの最悪の影響を示す測定報告が選択される。言い換えれば、アクセス端末ごとに、そのアクセス端末の測定報告グループから最悪の報告された信号状態が識別される。
【００５５】
最悪信号状態（影響）は様々な方法で判断され得る。場合によっては、最悪信号状態は、報告されたフェムトセル信号強度（たとえば、ＣＰＩＣＨ  ＲＳＣＰfemtoまたはＣＰＩＣＨ  Ｅｃ／Ｉｏfemto）があるしきい値を上回るとき、最も低い報告されたサービングマクロセル信号強度（たとえば、ＣＰＩＣＨ  ＲＳＣＰmacroまたはＣＰＩＣＨ  Ｅｃ／Ｉｏmacro）に基づいて選択される。したがって、この判断は、フェムトセルによる送信がマクロアクセス端末におけるマクロセル信号の受信にどのように影響を及ぼしているかの指示を与える。場合によっては、最悪信号状態は、最も高い報告されたフェムトセル信号強度に基づいて選択される。この判断は、マクロアクセス端末から見たフェムトセル送信の強度の指示を与える。
【００５６】
アクセス端末ごとの最悪信号状態が識別された後、アクセス端末はこれらの信号状態に従ってランク付けされる。たとえば、最も低い測定されたマクロセル信号強度を報告したマクロアクセス端末はランク「１」を与えられ得、次に低いマクロセル信号強度を報告したマクロアクセス端末はランク「２」を与えられ得るなどである。別の例として、最も高い測定されたフェムトセル信号強度を報告したマクロアクセス端末はランク「１」を与えられ得、次に高いマクロセル信号強度を報告したマクロアクセス端末はランク「２」を与えられ得るなどである。
【００５７】
ブロック４０６によって表されるように、ブロック４０４のランク付けに基づいてアクセス端末のサブセットを指定する。たとえば、最悪信号状態（たとえば、最も低いマクロセル信号強度または最も高いフェムトセル信号強度）に関連するいくつかのアクセス端末が「除外」され、より良好な信号状態を有するアクセス端末のみがサブセット中に残り得る。ここで、サブセットに入れられるアクセス端末の数は、アクセス端末の定義された数または報告アクセス端末の定義された部分（たとえば、割合）に基づいて判断され得る。たとえば、サブセットは２０個のアクセス端末に限定され得るか、または報告アクセス端末の９０％に限定され得る。
【００５８】
特定の例として、サブセットのサイズは、送信電力更新期間の間の影響を受けたアクセス端末の許容数を示す構成可能な数Ｔａｒｇｅｔ＿Ａｆｆｅｃｔｅｄ＿ＵＥｓに基づいて規定され得る。たとえば、フェムトセルは、所与の更新期間中にＴａｒｇｅｔ＿Ａｆｆｅｃｔｅｄ＿ＵＥｓの数のアクセス端末に影響を及ぼすことを許されるように構成され得る。言い換えれば、この数のマクロアクセス端末においてフェムトセルによって生じた干渉が（たとえば、マクロアクセス端末においてマクロ受信を中断する干渉レベルに対応し得る）規定された干渉レベルを超えることは許容できると見なされる。したがって、この量の最も影響を受けたアクセス端末は報告アクセス端末のセットから「除外」され、それにより、フェムトセルの送信が干渉を生じないことになるアクセス端末のサブセットが残る。したがって、サブセット中のアクセス端末の数が０よりも大きい場合、フェムトセルは、それの送信電力がサブセット中のアクセス端末に過度に干渉しないことを保証する必要がある。
【００５９】
ブロック４０８によって表されるように、アクセスポイントは、アクセス端末のサブセットにおいて特定の信号状態を達成するようにそれの送信電力を制御する。たとえば、フェムトセルは、必要に応じて、アクセス端末のサブセットにおいて許容できる干渉レベルを生じるようにそれの送信電力を調整し得る。場合によっては、送信電力は、アクセス端末のサブセットがマクロアクセスポイントから後で受信した信号に対応する後で測定された信号状態（たとえば、受信マクロセル信号強度）が、定義されたしきい値以上になるように調整され得る。逆に、他の場合には、送信電力は、アクセス端末のサブセットがフェムトセルから後で受信した信号に対応する後で測定された信号状態（たとえば、受信フェムトセル信号強度）が、定義されたしきい値以下になるように調整され得る。
【００６０】
特定の例として、フェムトセルの送信電力は、アクセス端末のサブセットのうちの最悪信号状態を有するアクセス端末（たとえば、サブセット中の最も低い数のランク付けを有するアクセス端末）が、定義されたしきい値以上であるマクロ信号強度を経験するように較正される。ここで、フェムトセルは、マクロセルの送信電力と、フェムトセルの送信電力と、アクセス端末とマクロセルとの間の経路損失と、アクセス端末とフェムトセルとの間の経路損失とを判断し得るので、フェムトセルはこの送信電力値を計算し得る。
【００６１】
上記のように、新たに計算された送信電力（Ｐｎｅｗ）は、（たとえば、アクセスポイントのために規定された、および／または別の送信電力制御アルゴリズムによる）最小および最大送信電力限界によって抑制され得る。
【００６２】
図５には、本明細書で説明する送信電力制御技法に関連して、測定報告関係のメッセージングを処理するためにネットワークエンティティにおいて実行され得る例示的な動作が記載されている。本明細書で説明するように、ネットワークエンティティは、たとえば、無線ネットワークコントローラ、フェムト管理サーバ、またはアクセスポイント（たとえば、マクロアクセスポイントまたはフェムトアクセスポイント）を含む様々な形態をとり得る。
【００６３】
ブロック５０２によって表されるように、様々な時点で、ネットワークエンティティは、１つまたは複数のアクセス端末から発信した測定報告を受信する。たとえば、コアネットワークエンティティ（たとえば、無線ネットワークコントローラ）は、そのネットワークエンティティによって管理される異なるアクセスポイントから測定報告関係のメッセージを受信し得る。別の例として、アクセスポイントは、そのアクセスポイントによってサービスされる様々なアクセス端末から測定報告を受信し得る。
【００６４】
本明細書で説明するように、所与のアクセス端末によって生成された測定報告は、一般に、いくつかのアクセスポイントのための測定情報を含む。したがって、ネットワークエンティティは異なるアクセスポイントに宛てられた測定報告を受信することになる。したがって、本明細書の教示に従って特定のアクセスポイントにおける送信電力較正を可能にするために、ネットワークエンティティは、特定の（すなわち、同じ）アクセスポイントに対応する測定報告を識別する。
【００６５】
ブロック５０４によって表されるように、ネットワークエンティティは、特定のアクセスポイントが測定報告に基づいて送信電力を制御するかどうかを判断する。たとえば、アクセスポイントがこのようにして送信電力を制御しない場合、ネットワークエンティティは、単に、送信電力較正（たとえば、干渉管理）ではなく従来のハンドオーバ関係の動作のために測定報告を使用し得る。逆に、アクセスポイントが、非サーブドアクセス端末からの測定報告に基づいて送信電力を制御するとネットワークエンティティが判断した場合、ネットワークエンティティは、この情報をアクセスポイントに送るために適切なアクションをとる。
【００６６】
ブロック５０６によって表され、本明細書で説明するように、ネットワークエンティティは、いずれのアクセス端末が所与の測定報告を送ったかに基づいて受信した測定報告をアグリゲートする。すなわち、ネットワークエンティティは、所与のアクセス端末からの測定報告のすべてを一緒にグループ化し得る。
【００６７】
ブロック５０８によって表されるように、アクセスポイントが測定報告に基づいて送信電力を制御するという（ブロック５０４の）判断の結果として、アクセスポイントは測定報告を特定のアクセスポイントに送る。測定報告は、異なる実装形態において異なる方法で送られ得る。場合によっては、ネットワークエンティティは、単に、受信時に測定報告を送る（たとえば、ネットワークエンティティは、測定報告をアグリゲートしないか、または事前指定された時間にそれらの配信をスケジュールしない）。他の場合には、ネットワークエンティティは、（たとえば、本明細書で説明するように）測定報告をアグリゲートし、対応するグループ中の測定報告を送る。これらの場合、各測定報告グループは、測定報告の発信元であるアクセス端末を識別する指示とともに送られ得る。また、場合によっては（たとえば、アグリゲーションの場合）、ネットワークエンティティは測定報告ベースメッセージの送信をスケジュールする。たとえば、メッセージは、送信電力更新期間ごとに１回、周期的に送られ得る。
【００６８】
測定報告の送信は様々な方法で開始され得る。場合によっては、ネットワークエンティティは測定報告を周期的に送る。場合によっては、ネットワークエンティティによる測定報告の送信は、特定のアクセスポイントからの要求によってトリガされる。
【００６９】
ネットワークエンティティは、様々な方法で測定報告メッセージのための宛先アクセスポイントを一意に識別し得る。いくつかの実装形態では、アクセス端末は、アクセスポイントの一意の識別子（たとえば、セル識別子）を測定報告中に含める。たとえば、アクセス端末は、アクセスポイントによって送信されたブロードキャスト信号からこの識別子を捕捉し得る。いくつかの実装形態では、アクセスポイントの一意の識別情報は、ネットワーク中の異なるアクセスポイントによって使用される異なるタイミング情報に基づいて判断される。他の場合には、他のアクセスポイント識別情報ディスアンビギュエーション（disambiguation）技法が採用され得る。
【００７０】
次に図６のシステム６００を参照すると、いくつかの実装形態では、上記の測定報告送信電力方式は多段送信電力制御方式において採用され得る。たとえば、アクセスポイント６０６は、ブロック６１２によって表されるネットワークリッスンベース電力較正（ＮＬＰＣ：network listen-based power calibration）機能と、ブロック６１４によって表されるモバイル支援型範囲チューニング（ＭＡＲＴ：mobile assisted range tuning）機能と、ブロック６１６によって表されるアクティブモバイル保護機能とを一緒に採用し得る。所与の時点において、送信電力は、アクセスポイント６０６の状態に応じて制御（たとえば、較正）される。
【００７１】
例示的な実装形態では、これらの状態は、初期化（たとえば、電源投入または再較正）状態と、初期化後状態と、アクセスポイント６０６の近傍におけるアクティブマクロユーザの存在の検出に関係する状態とを備え得る。たとえば、アクセスポイント６０６が電源投入されたとき、アクセスポイント６０６は初めにＮＬＰＣを使用する。
【００７２】
その後、アクセスポイント６０６はモバイル（すなわち、アクセス端末）支援型範囲チューニングを使用する。たとえば、アクセスポイント６０６は、近くのアクセス端末から十分な量の情報を収集した後、ＭＡＲＴ状態に切り替わり得る。この情報は、異なる方法で収集され得、異なる形態をとり得る。たとえば、様々な時点で、アクセスポイント６０６は、それのサービスチャネル上で情報を送信することになり、１つまたは複数のビーコンチャネル上でも送信し得る。これらの送信の結果として、アクセスポイント６０６は近くのアクセス端末からメッセージを受信し得る。
【００７３】
場合によっては、ＭＡＲＴは、アクセスポイント６０６によって現在サービスされていない近くのアクセス端末（たとえば、アクセス端末６０４）によって生成された測定報告メッセージに基づく。ここで、アクセス端末６０４は、それのサービングアクセスポイント（たとえば、アクセスポイント６０８）に測定報告メッセージを送り得、その後、そのメッセージは、（たとえば、バックホールを介して）非サービングアクセスポイント６０６に転送され、図１〜図４において上記で説明したように電力制御のために使用される。
【００７４】
場合によっては、ＭＡＲＴは、アクセスポイント６０６を介してアクティブモードサービスを取得することを認可された近くのアクセス端末（たとえば、アクセス端末６０２）によって生成された測定報告メッセージに基づく。この場合、アクセス端末６０２はアクセスポイント６０６に測定報告メッセージを直接送る。これらの測定報告メッセージは、フェムト順方向リンクサービスチャネルおよび／または（１つまたは複数の）ビーコンチャネルについてアクセス端末６０２において測定された（たとえば、信号電力に関する）チャネル品質を報告し得る。場合によっては、アクセスポイント６０６は、アクセス端末に、フェムトサービスチャネルおよび／または（１つまたは複数の）ビーコンチャネル上のチャネル品質を測定し、測定報告メッセージを使用してこの情報を報告するように要求し得る。さらに、場合によっては、アクセスポイント６０６は、アクセス端末に、フェムトサービスチャネルおよび／またはビーコンチャネル上の経路損失を報告し、測定報告メッセージを使用してこの情報を報告するように要求し得る。
【００７５】
場合によっては、ＭＡＲＴは、アクセスポイント６０６からアクティブモードサービスを受信することを認可されない近くのアクセス端末（たとえば、アクセス端末６０４）から受信された登録メッセージに基づく。ここで、アクセス端末６０４は、別のアクセスポイント（たとえば、アクセスポイント６０８）によってサービスされ得るかまたはアイドルモードにあり得る。アクセス端末６０４は、アクセスポイント６０６から順方向リンク信号、パイロット、またはビーコンを受信した結果として、アクセスポイント６０６に登録しようと試み得る。したがって、アクセス端末６０４はアクセスポイント６０６に登録メッセージを送ることになる。しかしながら、アクセス端末は、アクセスポイント６０６を介してアクティブモードサービスにアクセスすることを許可されないので、この登録要求は失敗することになる。以下でより詳細に説明するように、これらの登録メッセージを受信した結果として、アクセスポイント６０６は、十分なカバレージを与えることと、そのような非許可アクセス端末への干渉を最小限に抑えることとの間の許容できるトレードオフを与えるために、それの送信電力を調整する最も良い方法を判断し得る。場合によっては、アクセスポイント６０６は、信号電力、品質または経路損失のうちの１つまたは複数がアクセス端末６０４から登録メッセージの一部として報告されることを要求し得る。
【００７６】
ＭＡＲＴ状態では、アクセスポイント６０６は送信電力を断続的に（たとえば、周期的に）更新し得る。たとえば、アクセスポイント６０６は、近くのアクセス端末から情報（たとえば、非サーブドアクセス端末および／またはホームアクセス端末からのチャネル品質、受信電力、および経路損失報告、ならびに登録統計値）を捕捉し、次いで、この情報に基づいて（たとえば、上記で説明した更新期間に従って）送信電力を周期的に微調整し得る。
【００７７】
さらに、ＭＡＲＴ状態にある間、アクセスポイント６０６は、（たとえば、フェムトセルロケーションの変化および／または近傍におけるアクセスポイントの設置／削除による）ネットワーク状態の有意な変化があったかどうかを判断するために、ネットワーク状態を定期的に監視し得る。有意な変化があった場合、アクセスポイント６０６は、１つまたは複数の電力制御パラメータ（たとえば、送信電力限界）を更新するために、ネットワークリッスンベース電力較正状態にスイッチバックし得る。たとえば、フェムトセルは、ネットワークリッスン測定を周期的に実行し得、ＲＦ環境が変化した場合、再較正を実行する。ＲＦ環境の変化（たとえば、識別されたチャネル状態の変化）は、前のネットワークリッスン測定値（たとえば、前に受信したパイロット信号）を新しいネットワークリッスン測定値（たとえば、新たに受信したパイロット信号）と比較することによって検出され得る。変化が検出された場合、送信電力は（たとえば、識別されたチャネル状態に基づいて少なくとも１つの送信電力限界を設定することによって）再較正され得る。場合によっては、これは、ネットワークリッスン測定値を、受信したメッセージから前に学習された情報と組み合わせることに関与し得る。再較正のためにネットワークリッスン測定を行う周期は、ＭＡＲＴ周期よりも小さくなり得る。また、再較正は、アクセスポイントが再電源投入されたとき、ＲＦ環境が変化したとき、またはアクセスポイントがネットワークによって再較正するように明示的に指示されたときなどのイベントの下で行われる。
【００７８】
また、ＮＬＰＣ状態またはＭＡＲＴ状態にある間、アクセスポイント６０６は、近くのアクティブユーザの存在を定期的に（たとえば、断続的に）監視し得る。たとえば、フェムトセルは、１つまたは複数の逆方向リンク周波数上のセル外干渉を測定することによって近くのアクティブマクロユーザを監視するために、アクティブモバイル保護（ＡＭＰ：active mobile protection）状態に周期的に切り替わり得る。近くのアクティブユーザが所与のキャリア周波数上で検出された場合、アクセスポイント６０６はアクティブモバイル保護状態に切り替わる。ここで、アクセスポイント６０６は、たとえば、そのキャリア周波数上の送信電力を低減するかまたは送信を中止することによって、それの送信を一時的に制限し得る。次いで、ユーザがもはや近くにいないかまたはもはやアクティブでないと判断すると、アクセスポイント６０６は前の状態（たとえば、ＮＬＰＣまたはＭＡＲＴ）に戻る。
【００７９】
以上のことから、ＮＬＰＣ状態にある間、アクセスポイント６０６は、ＮＬＰＣアルゴリズムによって判断された送信電力パラメータを使用して送信し得ることを諒解されたい。逆に、ＭＡＲＴ状態にある間、アクセスポイント６０６は、１つまたは複数のＭＡＲＴアルゴリズムによって判断された送信電力パラメータを使用して送信し得、それにより、送信電力パラメータは、少なくとも１つのアクセス端末（たとえば、ホームアクセス端末および／または外来アクセス端末）から受信されたメッセージに基づいて判断される。ＭＡＲＴ状態では、アクセスポイント６０６は、少なくとも１つのアクセス端末からメッセージを収集し続けることになる。さらに、アクティブモバイル保護のために、アクセスポイント６０６は、アクセスポイント６０６からの干渉を受け得る他のアクセス端末（たとえば、アクティブマクロアクセス端末）を定期的に監視し得る。
【００８０】
送信電力方式（たとえば、ＮＬＰＣ、ＭＡＲＴ、ＡＭＰ）は、異なる実装形態において異なる方法で相互作用し得る。場合によっては、異なる状態中に送信電力を制御するために、異なる送信電力方式が連続して使用され得る。たとえば、上記で説明したように、ＮＬＰＣは初期化において採用され得る。次いで、ＮＬＰＣはＭＡＲＴによって取って代わられ得、今度は、時々ＡＭＰによって取って代わられる。他の場合には、ある送信電力方式は、別の方式によって使用される１つまたは複数のパラメータを与え得る。たとえば、ＮＬＰＣは、非サーブドアクセス端末測定報告ベースＭＡＲＴアルゴリズムまたは登録メッセージベースＭＡＲＴアルゴリズムによって後で使用される最小および最大送信電力限界のセットを与えるために使用され得る。別の例として、ホームアクセス端末（ＨＡＴ：home access terminal）報告ベースＭＡＲＴアルゴリズムは、非サーブドアクセス端末測定報告ベースＭＡＲＴアルゴリズムまたは登録メッセージベースＭＡＲＴアルゴリズムによって後で使用される最小および最大送信電力限界のセットを与えるために使用され得る。
【００８１】
図７に、多段送信電力制御方式に関連して実行され得る例示的な動作を示す。フローチャートに示すように、本明細書で教示する非サーブドアクセス端末報告ベースアルゴリズムに関連して、所与の実装形態において、場合によってはＮＬＰＣ、ＡＭＰ、ＨＡＴ報告ベースＭＡＲＴ、または登録メッセージベースＭＡＲＴのうちの１つまたは複数が採用され得る。
【００８２】
ブロック７０２によって表されるように、アクセスポイント（たとえば、フェムトセル）は、電源投入され得るか、リセットされ得るか、またはアクセスポイントの初期化を開始する何らかの他のプロシージャを受け得る。次いで、アクセスポイントは、初期化が開始された後にネットワークリッスンベース電力較正（ＮＬＰＣ）を採用する。いくつかの態様では、これは、アクセスポイントから見た対応するチャネル品質（たとえば、受信信号強度）を判断するために（たとえば、対応するキャリア周波数上の）１つまたは複数のチャネルを監視することに関与する。アクセスポイントは、ネットワークリッスンモジュール（ＮＬＭ）または他の好適な（１つまたは複数の）構成要素を使用して、この監視を実行し得る。判断されたチャネル品質に基づいて、アクセスポイントは、そのアクセスポイントによって使用されるべき初期送信電力を設定する。この初期送信電力は、たとえば、送信電力のために使用されるべき初期値、または送信電力がそれ以内に制限されることになる（たとえば、最小限界と最大限界とによって規定された）初期範囲を備え得る。
【００８３】
いわゆる同一チャネル展開では、フェムトセルは、マクロセルと同じキャリア周波数上に展開される。すなわち、フェムトセルの（ダウンリンクとも呼ばれる）順方向リンクは、マクロセルの順方向リンクと同じキャリア周波数上にある。この場合、フェムトセルは、ＮＬＰＣを使用して、フェムトセルの送信がこの周波数上で動作する近くのアクセス端末（たとえば、マクロアクセス端末）に与え得る干渉を緩和するために、このキャリア周波数上の送信電力を制御し得る。
【００８４】
ここで、フェムトセルの順方向リンク送信電力は、周囲マクロセルの順方向リンクチャネル品質（たとえば、ＲＳＳＩ、ＣＰＩＣＨ  Ｅｃ／Ｉｏ、ＲＳＣＰ）を測定することによって較正され得る。フェムトセルは、マクロセルＲＳＳＩ測定値と（入力としての）定義されたカバレージ半径とを使用して初期送信電力を設定する。送信電力は、アイドル再選択要件を満たすように選定される。たとえば、フェムトセルのＣＰＩＣＨ  Ｅｃ／Ｉｏは、カバレージ半径のエッジにおいて（または所与の経路損失において）フェムトセルのためのＱｑｕａｌｍｉｎよりも良好であるべきである。これを達成するために、送信電力レベルは、測定されたマクロ品質（ＣＰＩＣＨ／Ｉｏ）と経路損失値とに応じて選定される。さらに、近くのアクセス端末（たとえば、マクロアクセス端末）において誘起される干渉を制限するために、別の潜在的な要件は、フェムトセル送信について、フェムトセルカバレージ範囲のエッジにおいて（または所与の経路損失において）高々ある固定量だけＩｏを増加させることである。次いで、フェムトセル送信電力は、これらの２つの基準のうちの最小値になるように選定される。この場合も、これは、フェムトセルがマクロネットワークにおけるそれのロケーションに基づいてそれの送信電力を適応させることを可能にする。送信電力は、マクロセルＲＳＳＩが強いロケーションと比較して、マクロセルＲＳＳＩが弱いロケーションにおいてより低く設定される。
【００８５】
ブロック７０４によって表されるように、アクセスポイントはまた、いくつかの実装形態ではアクティブモバイル保護を採用し得る。たとえば、フェムトセルの順方向リンク送信は、フェムトセルの近傍中のアクティブマクロユーザのボイス呼品質を劣化させ得る。そのような干渉からこれらのアクティブマクロモバイルを保護するために、近くのアクティブマクロユーザの存在が検出されたときはいつでも、フェムトセルはそれの順方向リンク送信を一時的に抑圧する（すなわち、制限する）。
【００８６】
したがって、アクセスポイントは、近くのアクティブ非ホームアクセス端末（たとえば、アクティブマクロアクセス端末）の存在を定期的に（たとえば、連続的に）監視し、そのアクセス端末が近傍を出るかまたはアクティブ通信を終了するまで、アクセスポイントの送信を制限するためのアクションをとり得る。そのようなアクティブアクセス端末がもはやアクセスポイントの近傍になくなると、アクセスポイントは、他の送信電力アルゴリズム（たとえば、ＮＬＰＣまたはＭＡＲＴ）によって規定された送信電力レベルを使用することを再開し得る。
【００８７】
アクセスポイントは、様々な方法でそれの送信を制限し得る。たとえば、アクセスポイントは、それの送信電力を一時的に低減し得るか、それの送信の周期を一時的に低減し得るか、または送信を一時的に中止し得る。アクセスポイントは、定義された時間期間の間それの送信を制限し得るか、またはアクセスポイントは、終了イベントが発生するまで、それの送信を制限し得る。たとえば、アクセス端末の検出が、測定された受信信号強度がしきい値を超えることに基づく場合、アクセスポイントは、測定された受信信号強度がある構成可能なしきい値を下回ったときに送信の制限を終了し得る。これらのいずれの場合も、送信の制限を終了したときに、アクセスポイントは、送信の制限より前に使用されていた送信電力レベルおよび／または周期で送信することを再開し得る。
【００８８】
アクセスポイントは、様々な方法でアクティブアクセス端末の存在を検出し得る。いくつかの実装形態では、フェムトセルは、（１つまたは複数の）マクロセル順方向リンクキャリア周波数とペアになった（１つまたは複数の）マクロセル逆方向リンクキャリア周波数上の受信信号強度を測定することによって、近くのマクロセルユーザの存在を検出する。たとえば、ある時間期間にわたってある期待値（たとえば、しきい値）を超える逆方向リンクＲＳＳＩ値の測定値は、対応する順方向リンク周波数上で受信しているアクティブマクロセルユーザの存在の指示として働き得る。いくつかの実装形態では、近くのアクティブマクロセルユーザの存在はアクセスポイントにアプリオリに知られていることがある。たとえば、制限付きユーザまたはゲストユーザのための（一般にアクティブハンドアウトと呼ばれる）フェムトセルからマクロセルへのアクセス端末のアクティブハンドオーバの場合、フェムトセルは、このアクセス端末がそのフェムトセルの近傍にあり、マクロセルによって現在サービスされていることを知っていることになる。
【００８９】
ブロック７０６によって表されるように、アクセスポイントは、ＮＬＰＣに一時的に戻るべきかどうかを判断するために、チャネル品質の変化を定期的に（たとえば、周期的に）監視し得る。たとえば、（たとえば、アクセスポイントのロケーションの変化、および／または近傍におけるアクセスポイントの設置／削除による）チャネル品質の最近の有意な変化があった場合、ＭＡＲＴのために収集された情報は信頼できないと見なされ得る。そのような場合、アクセスポイントは、新しいＭＡＲＴ情報が捕捉されるまで、アクセスポイントのための初期送信電力限界を再確立するためにＮＬＰＣ状態にスイッチバックし得る。
【００９０】
したがって、初期化時の初期電力設定に加えて、ＮＬＰＣ技法は、アクセスポイントのロケーションの変化などのイベントによるＲＦ環境の変化を識別し、それに応じて送信電力を調整するために再較正目的で使用され得る。そのような再較正は、アクセスポイントによって自律的に開始され得るかまたはネットワークによって指示され得る。再較正はまた、フェムトセルの再電源投入またはリセット時に開始され得る。リセットまたは再電源投入後に、フェムトセルは最初にチャネル品質の変化について検査し得る。有意な変化が検出されない場合、フェムトセルは、リセットまたは再電源投入イベントより前に使用されていた送信電力を使用し得る。そうでない場合、フェムトセルは、初期送信電力レベルを再確立するためにＮＬＰＣ状態にスイッチバックし得る。
【００９１】
上記で説明したように、ＮＬＰＣはいくつかの固有の制限を有する。したがって、ブロック７０８によって表されるように、周期的にアクセスポイントの送信電力を調整するためにＭＡＲＴが使用され得る。たとえば、ＮＬＰＣを適用した後に、ＭＡＲＴは、本明細書で説明するようにアクセスポイントにおいて受信されたメッセージに基づいて定期的に（たとえば、２４時間ごとに、２日ごとになど）実行され得る。このようにして、ＭＡＲＴを使用して、アクセスポイントのための最適な長期送信電力レベルを判断し得る。
【００９２】
ブロック７１０によって表されるように、いくつかの実装形態では、ＭＡＲＴは、ホームアクセス端末によって送られたチャネル品質報告（ＨＡＴ報告）に基づく。いくつかの態様では、ＨＡＴ報告を使用することによって、ホームアクセス端末のための十分なカバレージが保証され得る。ＨＡＴフィードバックに基づいて、フェムトセルは、建築物内の所望のカバレージ範囲（すなわち、建築物内の異なるロケーションにおける経路損失）とＲＦ状態とを学習し、次いで、最適な送信電力レベルを選定し得る。たとえば、フェムトセルは、小さい建築物内に展開されたときと比較して、大きい建築物内に展開されたときに比較的より高い電力で送信し得る。いくつかの実装形態では、ＨＡＴ報告に基づく送信電力の変更は、アクセスポイントが十分な数（たとえば、定義された数）のＨＡＴ報告を受信するまで行われ得ない。
【００９３】
ブロック７１２によって表されるように、いくつかの実装形態では、ＭＡＲＴは、フェムトセルのカバレージ中にあるアクセス端末（たとえば、好適なアクセス端末、またはマクロアクセス端末などの非ホームアクセス端末）によって実行される登録の統計値に基づく。登録統計値は、たとえば、定義された時間期間にわたってアクセスポイントにおいて行われた登録試み（たとえば、外来アクセス端末による失敗した登録）の数に対応し得る。いくつかの態様では、外来アクセス端末による多数の登録は、ホーム外での漏れの指示である。したがって、外来アクセス端末による登録の数がある構成可能なしきい値を上回るとき、送信電力、したがってフェムトセルのカバレージ範囲は、外来アクセス端末への干渉を制御するために低減される。
【００９４】
ブロック７１４によって表されるように、本明細書の教示によれば、ＭＡＲＴは、図１〜図４において上記で説明したように、非サーブドアクセス端末から受信された測定報告メッセージに基づき得る。
【００９５】
ブロック７１６によって表されるように、アクセスポイントは、ブロック７１０〜７１４のうちの１つまたは複数において収集されたメッセージに基づいて、それの送信電力を設定する。これらのメッセージからの情報を使用することによって、フェムトセルは、カバレージと干渉最小化とのトレードオフのバランスをとるために所望の送信電力設定を選定し得る。たとえば、受信したＨＡＴ報告を使用して、フェムトセルは、建築物内の異なるロケーションにおけるホームアクセス端末に対する経路損失、ならびにこれらのロケーションにおけるマクロチャネル品質（および／または受信信号電力）を推定し得る。このようにして、フェムトセルは、建築物内の必要とされるカバレージ範囲とＲＦ状態とを学習し、それに応じてそれの送信電力を微調整し得る。その結果、フェムトセルは、小さい建築物内に展開されたときと比較して、大きい建築物内に展開されたときに比較的より高い電力で自動的に送信し得る。
【００９６】
しかしながら、この送信電力判断に対する制限として、フェムトセルは、近くの非サーブドアクセス端末への干渉を緩和するために、登録統計値および／または非サーブド測定報告を使用し得る。たとえば、送信電力は、多数の登録メッセージが受信されたかどうか、多数のイベントトリガ型測定報告が受信されたかどうか、許容数よりも多いアクセス端末が干渉を受けるかどうかに基づいて、またはこれらのファクタの何らかの組合せに基づいて、ＨＡＴ報告ベース送信電力値からスケールバックされ得る。
【００９７】
本明細書で説明する送信電力制御方式は、異なる実装形態において様々な方法で実装され得る。たとえば、本明細書の教示は、様々なタイプのチャネル上の送信電力を制御するために採用され得る。
【００９８】
さらに、アクセスポイントは、様々な方法で測定報告情報を捕捉し得る。たとえば、いくつかの実装形態では、アクセスポイントは、近くのアクセス端末の順方向リンクを監視することによって、この情報を捕捉し得る。
【００９９】
図８に、本明細書で教示する送信電力制御関係の動作を実行するために（たとえば、アクセスポイント１０６またはアクセスポイント６０６に対応する）アクセスポイント８０２および（たとえば、ネットワークエンティティ１１０または上記で説明したアクセスポイントに対応する）ネットワークエンティティ８０４などのノードに組み込まれ得る（対応するブロックによって表される）いくつかの例示的な構成要素を示す。説明する構成要素は、通信システム中の他のノードにも組み込まれ得る。たとえば、システム中の他のノードは、同様の機能を与えるために、アクセスポイント８０２とネットワークエンティティ８０４とに関して説明する構成要素と同様の構成要素を含み得る。また、所与のノードは、説明する構成要素のうちの１つまたは複数を含み得る。たとえば、アクセスポイントは、アクセスポイントが複数の周波数上で動作し、および／または様々な技術によって通信することを可能にする、複数のトランシーバ構成要素を含み得る。
【０１００】
図８に示すように、アクセスポイント８０２は、他のノードと通信するためのトランシーバ８０６を含む。トランシーバ８０６は、１つまたは複数のキャリア周波数上で信号（たとえば、データ、ビーコン、メッセージ）を送るための送信機８０８と、１つまたは複数のキャリア周波数上で信号（たとえば、メッセージ、登録メッセージ、パイロット信号、測定報告）を受信するための受信機８１０とを含む。ネットワークエンティティ８０４がワイヤレス通信をサポートする（たとえば、ネットワークエンティティがアクセスポイントを備える）実装形態では、ネットワークエンティティ８０４はまた、他のノードと通信するための送信機８１４と受信機８１６とを備えるトランシーバ８１２を含む。
【０１０１】
アクセスポイント８０２およびネットワークエンティティ８０４はまた、それぞれ、他のネットワークノード（たとえば、ネットワークエンティティ）と通信するためのネットワークインターフェース８１８および８２０を含む。たとえば、ネットワークインターフェース８１８および８２０は、ワイヤベースまたはワイヤレスバックホールを介して１つまたは複数のネットワークエンティティと通信するように構成され得る。いくつかの態様では、ネットワークインターフェース８１８および８２０は、ワイヤベースまたはワイヤレス通信をサポートするように構成された（たとえば、送信機および受信機構成要素を含む）トランシーバとして実装され得る。したがって、図８の例では、ネットワークインターフェース８１８は、メッセージ（たとえば、測定報告）を送信および受信するための送信機８２２および受信機８２４を含むものとして示され、ネットワークインターフェース８２０は、メッセージ（たとえば、測定報告）を送信および受信するための送信機８２６および受信機８２８を含むものとして示されている。
【０１０２】
アクセスポイント８０２およびネットワークエンティティ８０４は、本明細書で教示する送信制御関係の動作に関連して使用され得る他の構成要素を含む。たとえば、アクセスポイント８０２は、アクセスポイント８０２の送信電力を制御する（たとえば、メッセージの量を識別し、その量をしきい値と比較し、比較に基づいて送信電力を制御し、アクセス端末が情報をアクティブに受信していると判断し、送信を制限し、チャネル状態を識別し、送信電力のための少なくとも１つの限界を設定し、アクセス端末をランク付けし、アクセス端末のサブセットを指定し、アクセス端末のサブセットにおいて特定の信号状態を達成するように送信電力を制御する）ため、および本明細書で教示する他の関係する機能を与えるための送信電力コントローラ８３０を含む。いくつかの実装形態では、送信電力コントローラ８３０の機能の一部は、受信機８１０および／または送信機８０８において実装され得る。ネットワークエンティティ８０４は、測定報告関係のメッセージングを処理する（たとえば、アクセスポイントが測定報告に基づいて送信電力を制御すると判断し、測定報告をアグリゲートする）ため、および本明細書で教示する他の関係する機能を与えるための測定報告コントローラ８３２を含む。アクセスポイント８０２およびネットワークエンティティ８０４はまた、それぞれ、通信を制御する（たとえば、メッセージを送信および受信する）ため、および本明細書で教示する他の関係する機能を与えるための通信コントローラ８３４および８３６を含み得る。また、アクセスポイント８０２およびネットワークエンティティ８０４は、それぞれ、情報（たとえば、受信したメッセージ情報）を維持するための（たとえば、メモリデバイスをそれぞれ含む）メモリ構成要素８３８および８４０を含む。
【０１０３】
便宜上、アクセスポイント８０２およびネットワークエンティティ８０４は、本明細書で説明する様々な例において使用され得る構成要素を含むものとして図８に示されている。実際には、これらのブロックのうちの１つまたは複数の機能は、異なる実施形態では異なり得る。たとえば、ブロック８３０の機能は、図４に従って実装される展開に比較して、図３に従って実装される展開では異なり得る。
【０１０４】
図８の構成要素は様々な方法で実装され得る。いくつかの実装形態では、図８の構成要素は、たとえば、１つまたは複数のプロセッサおよび／または（１つまたは複数のプロセッサを含み得る）１つまたは複数のＡＳＩＣなど、１つまたは複数の回路において実装され得る。ここで、各回路（たとえば、プロセッサ）は、この機能を与えるために回路によって使用される情報または実行コードを記憶するためのデータメモリを使用し、および／または組み込み得る。たとえば、ブロック８０６および８１８によって表される機能の一部、ならびにブロック８３０、８３４、および８３８によって表される機能の一部または全部は、アクセスポイントの１つまたは複数のプロセッサと、アクセスポイントのデータメモリとによって（たとえば、適切なコードの実行によって、および／またはプロセッサ構成要素の適切な構成によって）実装され得る。同様に、ブロック８１２および８２０によって表される機能の一部、ならびにブロック８３２、８３６、および８４０によって表される機能の一部または全部は、ネットワークエンティティの１つまたは複数のプロセッサと、ネットワークエンティティのデータメモリとによって（たとえば、適切なコードの実行によって、および／またはプロセッサ構成要素の適切な構成によって）実装され得る。
【０１０５】
上記で説明したように、いくつかの態様では、本明細書の教示は、大規模カバレージ（たとえば、一般にマクロセルネットワークまたはＷＡＮと呼ばれる３Ｇネットワークなどの広域セルラーネットワーク）と、より小規模のカバレージ（たとえば、一般にＬＡＮと呼ばれるレジデンスベースまたは建築物ベースのネットワーク環境）とを含むネットワークにおいて採用され得る。アクセス端末（ＡＴ）がそのようなネットワーク中を移動するとき、アクセス端末は、いくつかのロケーションでは、マクロカバレージを与えるアクセスポイントによってサービスされ、他のロケーションでは、より小規模のカバレージを与えるアクセスポイントによってサービスされることがある。いくつかの態様では、より小さいカバレージノードを使用して、（たとえば、よりロバストなユーザエクスペリエンスのために）増分キャパシティの増大と、屋内カバレージと、様々なサービスとを与え得る。
【０１０６】
本明細書の説明では、比較的大きいエリアにわたるカバレージを与えるノード（たとえば、アクセスポイント）をマクロアクセスポイントと呼び、比較的小さいエリア（たとえば、レジデンス）にわたるカバレージを与えるノードをフェムトアクセスポイントと呼ぶことがある。本明細書の教示は、他のタイプのカバレージエリアに関連付けられたノードに適用され得ることを諒解されたい。たとえば、ピコアクセスポイントは、マクロエリアよりも小さく、フェムトエリアよりも大きいエリアにわたるカバレージ（たとえば、商業建築物内のカバレージ）を与え得る。様々な適用例では、マクロアクセスポイント、フェムトアクセスポイント、または他のアクセスポイントタイプのノードを指すために他の用語を使用することがある。たとえば、マクロアクセスポイントを、アクセスノード、基地局、アクセスポイント、ｅノードＢ、マクロセルなどとして構成すること、またはそのように呼ぶことがある。また、フェムトアクセスポイントを、ホームノードＢ、ホームｅノードＢ、アクセスポイント基地局、フェムトセルなどとして構成すること、またはそのように呼ぶことがある。いくつかの実装形態では、ノードを１つまたは複数のセルまたはセクタに関連付けることがある（たとえば、そのように呼ぶこと、または分割することがある）。マクロアクセスポイント、フェムトアクセスポイント、またはピコアクセスポイントに関連付けられたセルまたはセクタを、それぞれ、マクロセル、フェムトセル、またはピコセルと呼ぶことがある。
【０１０７】
図９に、本明細書の教示が実装され得る、いくつかのユーザをサポートするように構成されたワイヤレス通信システム９００を示す。システム９００は、たとえば、マクロセル９０２Ａ〜９０２Ｇなど、複数のセル９０２の通信を可能にし、各セルは、対応するアクセスポイント９０４（たとえば、アクセスポイント９０４Ａ〜９０４Ｇ）によってサービスされる。図９に示すように、アクセス端末９０６（たとえば、アクセス端末９０６Ａ〜９０６Ｌ）は、時間とともにシステム全体にわたって様々なロケーションに分散され得る。各アクセス端末９０６は、たとえば、アクセス端末９０６がアクティブかどうか、およびアクセス端末９０６がソフトハンドオフ中かどうかに応じて、所与の瞬間に順方向リンク（ＦＬ）および／または逆方向リンク（ＲＬ）上で１つまたは複数のアクセスポイント９０４と通信し得る。ワイヤレス通信システム９００は大きい地理的領域にわたってサービスを提供し得る。たとえば、マクロセル９０２Ａ〜９０２Ｇは、近隣内の数ブロックまたは地方環境の数マイルをカバーし得る。
【０１０８】
図１０に、１つまたは複数のフェムトアクセスポイントがネットワーク環境内に展開された例示的な通信システム１０００を示す。特に、システム１０００は、比較的小規模のネットワーク環境中に（たとえば、１つまたは複数のユーザレジデンス１０３０中に）設置された複数のフェムトアクセスポイント１０１０（たとえば、フェムトアクセスポイント１０１０Ａおよび１０１０Ｂ）を含む。各フェムトアクセスポイント１０１０は、ＤＳＬルータ、ケーブルモデム、ワイヤレスリンク、または他の接続手段（図示せず）を介して、ワイドエリアネットワーク１０４０（たとえば、インターネット）とモバイル事業者コアネットワーク１０５０とに結合され得る。以下で説明するように、各フェムトアクセスポイント１０１０は、関連するアクセス端末１０２０（たとえば、アクセス端末１０２０Ａ）、および、随意に、他の（たとえば、ハイブリッドまたは外来）アクセス端末１０２０（たとえば、アクセス端末１０２０Ｂ）にサービスするように構成され得る。言い換えれば、フェムトアクセスポイント１０１０へのアクセスは制限され得、それによって、所与のアクセス端末１０２０は、指定された（１つまたは複数の）（たとえば、ホーム）フェムトアクセスポイント１０１０のセットによってサービスされ得るが、指定されていないフェムトアクセスポイント１０１０（たとえば、ネイバーのフェムトアクセスポイント１０１０）によってサービスされ得ない。
【０１０９】
図１１に、いくつかの追跡エリア１１０２（またはルーティングエリアまたはロケーションエリア）が画定されたカバレージマップ１１００の例を示し、そのエリアの各々はいくつかのマクロカバレージエリア１１０４を含む。ここで、追跡エリア１１０２Ａ、１１０２Ｂ、および１１０２Ｃに関連付けられたカバレージのエリアは太線によって示され、マクロカバレージエリア１１０４は大きい六角形によって表される。追跡エリア１１０２はフェムトカバレージエリア１１０６をも含む。この例では、フェムトカバレージエリア１１０６の各々（たとえば、フェムトカバレージエリア１１０６Ｂおよび１１０６Ｃ）は、１つまたは複数のマクロカバレージエリア１１０４（たとえば、マクロカバレージエリア１１０４Ａおよび１１０４Ｂ）内に示されている。ただし、フェムトカバレージエリア１１０６の一部または全部がマクロカバレージエリア１１０４内にないことがあることを諒解されたい。実際問題として、多数のフェムトカバレージエリア１１０６（たとえば、フェムトカバレージエリア１１０６Ａおよび１１０６Ｄ）を所与の追跡エリア１１０２またはマクロカバレージエリア１１０４内に画定し得る。また、１つまたは複数のピコカバレージエリア（図示せず）を所与の追跡エリア１１０２またはマクロカバレージエリア１１０４内に画定し得る。
【０１１０】
再び図１０を参照すると、フェムトアクセスポイント１０１０の所有者は、たとえば、３Ｇモバイルサービスなど、モバイル事業者コアネットワーク１０５０を介して提供されるモバイルサービスに加入し得る。さらに、アクセス端末１０２０は、マクロ環境と、より小規模の（たとえば、宅内）ネットワーク環境の両方で動作することが可能であり得る。言い換えれば、アクセス端末１０２０の現在のロケーションに応じて、アクセス端末１０２０は、モバイル事業者コアネットワーク１０５０に関連付けられたマクロセルアクセスポイント１０６０によって、または、フェムトアクセスポイント１０１０のセット（たとえば、対応するユーザレジデンス１０３０内に常駐するフェムトアクセスポイント１０１０Ａおよび１０１０Ｂ）のいずれか１つによってサービスされ得る。たとえば、加入者は、自宅の外にいるときは標準のマクロアクセスポイント（たとえば、アクセスポイント１０６０）によってサービスされ、自宅の中にいるときはフェムトアクセスポイント（たとえば、アクセスポイント１０１０Ａ）によってサービスされる。ここで、フェムトアクセスポイント１０１０は、レガシーアクセス端末１０２０と後方互換性があり得る。
【０１１１】
フェムトアクセスポイント１０１０は、単一の周波数上に展開され得、または代替として、複数の周波数上に展開され得る。特定の構成に応じて、単一の周波数、あるいは複数の周波数のうちの１つまたは複数は、マクロアクセスポイント（たとえば、アクセスポイント１０６０）によって使用される１つまたは複数の周波数と重なることがある。
【０１１２】
いくつかの態様では、アクセス端末１０２０は、そのような接続性が可能であるときはいつでも、好適なフェムトアクセスポイント（たとえば、アクセス端末１０２０のホームフェムトアクセスポイント）に接続するように構成され得る。たとえば、アクセス端末１０２０Ａがユーザのレジデンス１０３０内にあるときはいつでも、アクセス端末１０２０Ａがホームフェムトアクセスポイント１０１０Ａまたは１０１０Ｂのみと通信することが望ましいことがある。
【０１１３】
いくつかの態様では、アクセス端末１０２０がマクロセルラーネットワーク１０５０内で動作しているが、（たとえば、好適ローミングリスト中で定義された）その最も好適なネットワーク上に常駐していない場合、アクセス端末１０２０は、ベターシステムリセレクション（ＢＳＲ）手順を使用して、最も好適なネットワーク（たとえば、好適なフェムトアクセスポイント１０１０）を探索し続け得、ベターシステムリセレクションでは、より良好なシステムが現在利用可能であるかどうかを判断するために利用可能なシステムの周期的スキャニングを行い、その後、そのような好適なシステムを捕捉し得る。アクセス端末１０２０は、特定の帯域およびチャネルの探索を制限し得る。たとえば、１つまたは複数のフェムトチャネルが定義され得、それにより、領域中のすべてのフェムトアクセスポイント（またはすべての制限付きフェムトアクセスポイント）は（１つまたは複数の）フェムトチャネル上で動作する。最も好適なシステムの探索が周期的に繰り返され得る。好適なフェムトアクセスポイント１０１０が発見されると、アクセス端末１０２０は、そのカバレージエリア内にあるときに使用するために、フェムトアクセスポイント１０１０を選択し、それに登録する。
【０１１４】
フェムトアクセスポイントへのアクセスは、いくつかの態様では、制限されることがある。たとえば、所与のフェムトアクセスポイントは、いくつかのサービスをいくつかのアクセス端末のみに提供し得る。いわゆる制限付き（または限定）アクセスを用いた展開では、所与のアクセス端末は、マクロセルモバイルネットワークと、フェムトアクセスポイントの定義されたセット（たとえば、対応するユーザレジデンス１０３０内に常駐するフェムトアクセスポイント１０１０）とによってのみサービスされ得る。いくつかの実装形態では、アクセスポイントは、少なくとも１つのノード（たとえば、アクセス端末）にシグナリング、データアクセス、登録、ページング、またはサービスのうちの少なくとも１つを提供しないように制限され得る。
【０１１５】
いくつかの態様では、（限定加入者グループホームノードＢと呼ばれることもある）制限付きフェムトアクセスポイントは、制限されたプロビジョニングされたアクセス端末のセットにサービスを提供するフェムトアクセスポイントである。このセットは、必要に応じて、一時的にまたは永続的に拡大され得る。いくつかの態様では、限定加入者グループ（ＣＳＧ）は、アクセス端末の共通のアクセス制御リストを共有するアクセスポイント（たとえば、フェムトアクセスポイント）のセットとして定義され得る。
【０１１６】
したがって、所与のフェムトアクセスポイントと所与のアクセス端末との間には様々な関係が存在し得る。たとえば、アクセス端末の観点から、オープンフェムトアクセスポイントは、無制限のアクセスをもつフェムトアクセスポイントを指すことがある（たとえば、そのフェムトアクセスポイントはすべてのアクセス端末にアクセスを許可する）。制限付きフェムトアクセスポイントは、何らかの形で制限された（たとえば、アクセスおよび／または登録について制限された）フェムトアクセスポイントを指すことがある。ホームフェムトアクセスポイントは、アクセス端末がアクセスし、その上で動作することを許可される（たとえば、永続的なアクセスが、１つまたは複数のアクセス端末の定義されたセットに与えられる）フェムトアクセスポイントを指すことがある。ハイブリッド（またはゲスト）フェムトアクセスポイントは、異なるアクセス端末が異なるサービスレベルを提供される（たとえば、あるアクセス端末では、部分的なアクセスおよび／または一時的アクセスが許可され得るが、他のアクセス端末ではフルアクセスが許可され得る）フェムトアクセスポイントを指すことがある。外来フェムトアクセスポイントは、おそらく非常事態（たとえば、９１１番）を除いて、アクセス端末がアクセスし、またはその上で動作することを許可されないフェムトアクセスポイントを指すことがある。
【０１１７】
制限付きフェムトアクセスポイントの観点から、ホームアクセス端末は、そのアクセス端末の所有者のレジデンス中に設置された制限付きフェムトアクセスポイントへのアクセスを許可されるアクセス端末を指すことがある（通常、ホームアクセス端末は、そのフェムトアクセスポイントへの永続的なアクセスを有する）。ゲストアクセス端末は、（たとえば、最終期限、使用時間、バイト、接続回数、または何らかの他の１つまたは複数の基準に基づいて制限された）制限付きフェムトアクセスポイントへの一時的アクセスをもつアクセス端末を指すことがある。外来アクセス端末は、たとえば、おそらく９１１番などの非常事態を除いて、制限付きフェムトアクセスポイントにアクセスする許可を有していないアクセス端末（たとえば、制限付きフェムトアクセスポイントに登録する証明書または許可を有していないアクセス端末）を指すことがある。
【０１１８】
便宜上、本明細書の開示では、フェムトアクセスポイントの文脈で様々な機能について説明する。ただし、ピコアクセスポイントは、同じまたは同様の機能をより大きいカバレージエリアに与え得ることを諒解されたい。たとえば、所与のアクセス端末に対して、ピコアクセスポイントが制限され得、ホームピコアクセスポイントが定義され得る、などである。
【０１１９】
本明細書の教示は、複数のワイヤレスアクセス端末のための通信を同時にサポートするワイヤレス多元接続通信システムにおいて採用され得る。ここで、各端末は、順方向リンクおよび逆方向リンク上の送信を介して１つまたは複数のアクセスポイントと通信し得る。順方向リンク（またはダウンリンク）は、アクセスポイントから端末への通信リンクを指し、逆方向リンク（またはアップリンク）は、端末からアクセスポイントへの通信リンクを指す。この通信リンクは、単入力単出力システム、多入力多出力（ＭＩＭＯ）システム、または何らかの他のタイプのシステムを介して確立され得る。
【０１２０】
ＭＩＭＯシステムは、データ送信用の複数（ＮT）個の送信アンテナと複数（ＮR）個の受信アンテナとを採用する。ＮT個の送信アンテナとＮR個の受信アンテナとによって形成されるＭＩＭＯチャネルは、空間チャネルとも呼ばれるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【０１２１】
ＭＩＭＯシステムは時分割複信（ＴＤＤ）および周波数分割複信（ＦＤＤ）をサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【０１２２】
図１２に、例示的なＭＩＭＯシステム１２００のワイヤレスデバイス１２１０（たとえば、アクセスポイント）およびワイヤレスデバイス１２５０（たとえば、アクセス端末）を示す。デバイス１２１０では、いくつかのデータストリームのトラフィックデータが、データソース１２１２から送信（ＴＸ）データプロセッサ１２１４に供給される。各データストリームは、次いで、それぞれの送信アンテナを介して送信され得る。
【０１２３】
ＴＸデータプロセッサ１２１４は、符号化データを与えるために、各データストリームのトラフィックデータを、そのデータストリーム用に選択された特定の符号化方式に基づいてフォーマットし、符号化し、インターリーブする。各データストリームの符号化データは、ＯＦＤＭ技法を使用してパイロットデータで多重化され得る。パイロットデータは、典型的には、知られている方法で処理される知られているデータパターンであり、チャネル応答を推定するために受信機システムにおいて使用され得る。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１２３０によって実行される命令によって判断され得る。データメモリ１２３２は、プロセッサ１２３０またはデバイス１２１０の他の構成要素によって使用されるプログラムコード、データ、および他の情報を記憶し得る。
【０１２４】
次いで、すべてのデータストリームの変調シンボルがＴＸ  ＭＩＭＯプロセッサ１２２０に供給され、ＴＸ  ＭＩＭＯプロセッサ１２２０はさらに（たとえば、ＯＦＤＭ用に）その変調シンボルを処理し得る。ＴＸ  ＭＩＭＯプロセッサ１２２０は、次いで、ＮT個の変調シンボルストリームを、ＮT個のトランシーバ（ＸＣＶＲ）１２２２Ａ〜１２２２Ｔに供給する。いくつかの態様では、ＴＸ  ＭＩＭＯプロセッサ１２２０は、データストリームのシンボルと、シンボルの送信元のアンテナとにビームフォーミング重みを付加する。
【０１２５】
各トランシーバ１２２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１２２２Ａ〜１２２２ＴからのＮT個の変調信号は、それぞれＮT個のアンテナ１２２４Ａ〜１２２４Ｔから送信される。
【０１２６】
デバイス１２５０では、送信された変調信号はＮR個のアンテナ１２５２Ａ〜１２５２Ｒによって受信され、各アンテナ１２５２からの受信信号は、それぞれのトランシーバ（ＸＣＶＲ）１２５４Ａ〜１２５４Ｒに供給される。各トランシーバ１２５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【０１２７】
次いで、受信（ＲＸ）データプロセッサ１２６０は、特定の受信機処理技法に基づいてＮR個のトランシーバ１２５４からＮR個の受信シンボルストリームを受信し、処理して、ＮT個の「検出」シンボルストリームを与える。次いで、ＲＸデータプロセッサ１２６０は、各検出シンボルストリームを復調し、デインターリーブし、復号して、データストリームのトラフィックデータを復元する。ＲＸデータプロセッサ１２６０による処理は、デバイス１２１０におけるＴＸ  ＭＩＭＯプロセッサ１２２０およびＴＸデータプロセッサ１２１４によって実行される処理を補足するものである。
【０１２８】
プロセッサ１２７０は、どのプリコーディング行列を使用すべきかを周期的に判断する（後述）。プロセッサ１２７０は、行列インデックス部分とランク値部分とを備える逆方向リンクメッセージを作成する。データメモリ１２７２は、プロセッサ１２７０またはデバイス１２５０の他の構成要素によって使用されるプログラムコード、データ、および他の情報を記憶し得る。
【０１２９】
逆方向リンクメッセージは、通信リンクおよび／または受信データストリームに関する様々なタイプの情報を備え得る。次いで、逆方向リンクメッセージは、データソース１２３６からいくつかのデータストリームのトラフィックデータをも受信するＴＸデータプロセッサ１２３８によって処理され、変調器１２８０によって変調され、トランシーバ１２５４Ａ〜１２５４Ｒによって調整され、デバイス１２１０に戻される。
【０１３０】
デバイス１２１０では、デバイス１２５０からの変調信号は、アンテナ１２２４によって受信され、トランシーバ１２２２によって調整され、復調器（ＤＥＭＯＤ）１２４０によって復調され、ＲＸデータプロセッサ１２４２によって処理されて、デバイス１２５０によって送信された逆方向リンクメッセージが抽出される。次いで、プロセッサ１２３０は、ビームフォーミング重みを判断するためにどのプリコーディング行列を使用すべきかを判断し、次いで、抽出されたメッセージを処理する。
【０１３１】
図１２はまた、通信構成要素が、本明細書で教示する送信電力制御動作を実行する１つまたは複数の構成要素を含み得ることを示す。たとえば、送信電力制御構成要素１２９０は、デバイス１２１０のプロセッサ１２３０および／または他の構成要素と協働して、本明細書で教示するデバイス１２１０による送信（たとえば、デバイス１２５０などの別のデバイスへの送信）のための送信電力を制御し得る。各デバイス１２１０および１２５０について、説明する構成要素のうちの２つ以上の機能が単一の構成要素によって提供され得ることを諒解されたい。たとえば、単一の処理構成要素が送信電力制御構成要素１２９０およびプロセッサ１２３０の機能を提供し得る。
【０１３２】
本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、符号化、インターリーブなどのうちの１つまたは複数を指定することによって）、複数のユーザとの通信をサポートすることが可能な多元接続システムにおいて採用され得る。たとえば、本明細書の教示は、符号分割多元接続（ＣＤＭＡ）システム、多重キャリアＣＤＭＡ（ＭＣＣＤＭＡ）、広帯域ＣＤＭＡ（Ｗ−ＣＤＭＡ）、高速パケットアクセス（ＨＳＰＡ、ＨＳＰＡ＋）システム、時間分割多元接続（ＴＤＭＡ）システム、周波数分割多元接続（ＦＤＭＡ）システム、シングルキャリアＦＤＭＡ（ＳＣ−ＦＤＭＡ）システム、直交周波数分割多元接続（ＯＦＤＭＡ）システム、または他の多元接続技法の技術のいずれか１つまたは組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００、または何らかの他の技術などの無線技術を実装し得る。ＵＴＲＡは、Ｗ−ＣＤＭＡおよび低チップレート（ＬＣＲ）を含む。ｃｄｍａ２０００技術は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。本明細書の教示は、３ＧＰＰ  Ｌｏｎｇ  Ｔｅｒｍ  Ｅｖｏｌｕｔｉｏｎ（ＬＴＥ）システム、Ｕｌｔｒａ  Ｍｏｂｉｌｅ  Ｂｒｏａｄｂａｎｄ（ＵＭＢ）システム、および他のタイプのシステムで実装され得る。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されており、ｃｄｍａ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本開示のいくつかの態様については、３ＧＰＰ用語を使用して説明することがあるが、本明細書の教示は、３ＧＰＰ（たとえば、Ｒｅｌ９９、Ｒｅｌ５、Ｒｅｌ６、Ｒｅｌ７）技術、ならびに３ＧＰＰ２（たとえば、１ｘＲＴＴ、１ｘＥＶ−ＤＯ  Ｒｅｌ０、ＲｅｖＡ、ＲｅｖＢ）技術および他の技術に適用され得ることを理解されたい。
【０１３３】
本明細書の教示は、様々な装置（たとえば、ノード）に組み込まれ得る（たとえば、装置内に実装され得る、または装置によって実行され得る）。いくつかの態様では、本明細書の教示に従って実装されるノード（たとえば、ワイヤレスノード）はアクセスポイントまたはアクセス端末を備え得る。
【０１３４】
たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られることがある。いくつかの実装形態では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続能力を有するハンドヘルドデバイス、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込まれ得る。
【０１３５】
アクセスポイントは、ノードＢ、ｅノードＢ、無線ネットワークコントローラ（ＲＮＣ）、基地局（ＢＳ）、無線基地局（ＲＢＳ）、基地局コントローラ（ＢＳＣ）、送受信基地局（ＢＴＳ）、トランシーバ機能（ＴＦ）、無線トランシーバ、無線ルータ、基本サービスセット（ＢＳＳ）、拡張サービスセット（ＥＳＳ）、マクロセル、マクロノード、ホームｅＮＢ（ＨｅＮＢ）、フェムトセル、フェムトノード、ピコノード、または何らかの他の同様の用語を備えるか、それらのいずれかとして実装されるか、あるいはそれらのいずれかとして知られることがある。
【０１３６】
いくつかの態様では、ノード（たとえば、アクセスポイント）は、通信システムのためのアクセスノードを備え得る。そのようなアクセスノードは、たとえば、ネットワークへのワイヤードまたはワイヤレス通信リンクを介した、ネットワーク（たとえば、インターネットまたはセルラーネットワークなど、ワイドエリアネットワーク）のための、またはネットワークへの接続性を与え得る。したがって、アクセスノードは、別のノード（たとえば、アクセス端末）がネットワークまたは何らかの他の機能にアクセスできるようにし得る。さらに、一方または両方のノードはポータブルでも、場合によっては比較的非ポータブルでもよいことを諒解されたい。
【０１３７】
また、ワイヤレスノードは、非ワイヤレス方式で（たとえば、ワイヤード接続を介して）情報を送信および／または受信することが可能であり得ることを諒解されたい。したがって、本明細書で説明する受信機および送信機は、非ワイヤレス媒体を介して通信するために適切な通信インターフェース構成要素（たとえば、電気的または光学的インターフェース構成要素）を含み得る。
【０１３８】
ワイヤレスノードは、好適なワイヤレス通信技術に基づくあるいは好適なワイヤレス通信技術をサポートする１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するような様々なワイヤレス通信技術、プロトコル、または規格（たとえば、ＣＤＭＡ、ＴＤＭＡ、ＯＦＤＭ、ＯＦＤＭＡ、ＷｉＭＡＸ、Ｗｉ−Ｆｉなど）のうちの１つまたは複数をサポートあるいは使用し得る。同様に、ワイヤレスノードは、様々な対応する変調方式または多重化方式のうちの１つまたは複数をサポートあるいは使用し得る。したがって、ワイヤレスノードは、上記または他のワイヤレス通信技術を使用して１つまたは複数のワイヤレス通信リンクを確立し、それを介して通信するために適切な構成要素（たとえば、エアインターフェース）を含み得る。たとえば、ワイヤレスノードは、ワイヤレス媒体上の通信を可能にする様々な構成要素（たとえば、信号生成器および信号処理器）を含み得る関連する送信機構成要素および受信機構成要素をもつワイヤレストランシーバを備え得る。
【０１３９】
（たとえば、添付の図の１つまたは複数に関して）本明細書で説明した機能は、いくつかの態様では、添付の特許請求の範囲において同様に指定された「手段」機能に対応し得る。図１３〜図１５を参照すると、装置１３００、１４００、および１５００は一連の相互に関係する機能モジュールとして表される。ここで、メッセージを受信するためのモジュール１３０２または１４０４は、少なくともいくつかの態様では、たとえば、本明細書で説明する受信機に対応し得る。メッセージの量を識別するためのモジュール１３０４は、少なくともいくつかの態様では、たとえば、本明細書で説明するコントローラに対応し得る。量をしきい値と比較するためのモジュール１３０６は、少なくともいくつかの態様では、たとえば、本明細書で説明するコントローラに対応し得る。アクセス端末をランク付けするためのモジュール１４０４は、少なくともいくつかの態様では、たとえば、本明細書で説明するコントローラに対応し得る。アクセス端末のサブセットを指定するためのモジュール１４０６は、少なくともいくつかの態様では、たとえば、本明細書で説明するコントローラに対応し得る。送信電力を制御するためのモジュール１３０８または１４０８は、少なくともいくつかの態様では、たとえば、本明細書で説明するコントローラに対応し得る。他のメッセージを受信するためのモジュール１３１０または１４１０は、少なくともいくつかの態様では、たとえば、本明細書で説明する受信機に対応し得る。登録メッセージを受信するためのモジュール１３１２または１４１２は、少なくともいくつかの態様では、たとえば、本明細書で説明する受信機に対応し得る。別のアクセス端末が情報をアクティブに受信していると判断するためのモジュール１３１４または１４１４は、少なくともいくつかの態様では、たとえば、本明細書で説明するコントローラに対応し得る。送信を制限するためのモジュール１３１６または１４１６は、少なくともいくつかの態様では、たとえば、本明細書で説明するコントローラに対応し得る。パイロット信号を受信するためのモジュール１３１８または１４１８は、少なくともいくつかの態様では、たとえば、本明細書で説明する受信機に対応し得る。チャネル状態を識別するためのモジュール１３２０または１４２０は、少なくともいくつかの態様では、たとえば、本明細書で説明するコントローラに対応し得る。送信電力のための少なくとも１つの限界を設定するためのモジュール１３２２または１４２２は、少なくともいくつかの態様では、たとえば、本明細書で説明するコントローラに対応し得る。測定報告を受信するためのモジュール１５０２は、少なくともいくつかの態様では、たとえば、本明細書で説明する受信機に対応し得る。アクセスポイントが測定報告に基づいて送信電力を制御すると判断するためのモジュール１５０４は、少なくともいくつかの態様では、たとえば、本明細書で説明するコントローラに対応し得る。測定報告をアクセスポイントに送るためのモジュール１５０６は、少なくともいくつかの態様では、たとえば、本明細書で説明する送信機に対応し得る。測定報告をアグリゲートするためのモジュール１５０８は、少なくともいくつかの態様では、たとえば、本明細書で説明するコントローラに対応し得る。
【０１４０】
図１３〜図１５のモジュールの機能は、本明細書の教示に合致する様々な方法で実装され得る。いくつかの態様では、これらのモジュールの機能は、１つまたは複数の電気構成要素として実装され得る。いくつかの態様では、これらのブロックの機能は、１つまたは複数のプロセッサ構成要素を含む処理システムとして実装され得る。いくつかの態様では、これらのモジュールの機能は、たとえば、１つまたは複数の集積回路（たとえば、ＡＳＩＣ）の少なくとも一部分を使用して実装され得る。本明細書で説明するように、集積回路は、プロセッサ、ソフトウェア、他の関係する構成要素、またはそれらの何らかの組合せを含み得る。これらのモジュールの機能はまた、本明細書で教示するように何らかの他の方法で実装され得る。いくつかの態様では、図１３〜図１５中の破線ブロックのうちの１つまたは複数は随意である。
【０１４１】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用され得る。したがって、第１および第２の要素への言及は、そこで２つの要素のみが採用され得ること、または第１の要素が何らかの方法で第２の要素に先行しなければならないことを意味するものではない。また、別段に記載されていない限り、要素のセットは１つまたは複数の要素を備え得る。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１４２】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１４３】
さらに、本明細書で開示した態様に関して説明した様々な例示的な論理ブロック、モジュール、プロセッサ、手段、回路、およびアルゴリズムステップのいずれかは、電子ハードウェア（たとえば、ソースコーディングまたは何らかの他の技法を使用して設計され得る、デジタル実装形態、アナログ実装形態、またはそれら２つの組合せ）、命令を組み込んだ様々な形態のプログラムまたは設計コード（便宜上、本明細書では「ソフトウェア」または「ソフトウェアモジュール」と呼ぶことがある）、あるいは両方の組合せとして実装され得ることを当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【０１４４】
本明細書で開示した態様に関して説明した様々な例示的な論理ブロック、モジュール、および回路は、集積回路（ＩＣ）、アクセス端末、またはアクセスポイント内に実装され得るか、またはそれらによって実行され得る。ＩＣは、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、電気構成要素、光学構成要素、機械構成要素、または本明細書で説明する機能を実行するように設計されたそれらの任意の組合せを備え得、ＩＣの内部に、ＩＣの外側に、またはその両方に常駐するコードまたは命令を実行し得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１４５】
開示したプロセス中のステップの特定の順序または階層は例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１４６】
１つまたは複数の例示的な実施形態では、説明した機能は、ハードウェア、ソフトウェア、ファームウェア、またはそれらの任意の組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。コンピュータ可読媒体は任意の好適なコンピュータプログラム製品に実装され得ることを諒解されたい。
【０１４７】
開示した態様の前述の説明は、当業者が本開示を実施または使用できるようにするために提供されるものである。これらの態様への様々な修正は当業者にはすぐに明らかになり、本明細書で定義した一般原理は本開示の範囲から逸脱することなく他の態様に適用され得る。したがって、本開示は、本明細書で示した態様に限定されるものではなく、本明細書で開示した原理および新規の特徴に一致する最も広い範囲を与えられるべきである。
【図１】
2013520933.tif 000003
【図２】
2013520933.tif 000004
【図３】
2013520933.tif 000005
【図４】
2013520933.tif 000006
【図５】
2013520933.tif 000007
【図６】
2013520933.tif 000008
【図７】
2013520933.tif 000009
【図８】
2013520933.tif 000010
【図９】
2013520933.tif 000011
【図１０】
2013520933.tif 000012
【図１１】
2013520933.tif 000013
【図１２】
2013520933.tif 000014
【図１３】
2013520933.tif 000015
【図１４】
2013520933.tif 000016
【図１５】
2013520933.tif 000017
【国際調査報告】
2013520933.tif 000018
2013520933.tif 000019
2013520933.tif 000020